(57)【要約】【課題】電力会社側と電力需要施設との間に階層化された複数の管理装置が設けられている場合であって、各電力需要施設において契約している電力会社が異なる場合であっても、各電力需要施設における電力消費の制御を適切に行う。【解決手段】上位管理装置は、電力需要施設における電力消費を抑制可能な複数の下位管理装置を介して前記電力消費を管理し、複数の電力供給側から電力消費に関する電力管理情報を取得可能な管理情報取得部と、前記電力需要施設における電力消費の抑制能力と前記電力需要施設に電力を供給する前記電力供給側との対応関係である第１対応関係について、前記下位管理装置ごとの前記第１対応関係を示す抑制可能量情報を取得する抑制可能量取得部と、前記電力管理情報および前記抑制可能量情報に基づいて、対応の前記電力需要施設の電力消費の内容を指示するための指示情報を前記下位管理装置に通知する指示部とを備える。【選択図】図２
2015116039.tif 000002
【特許請求の範囲】
【請求項１】
電力需要施設における電力消費を抑制可能な複数の下位管理装置を介して前記電力消費を管理する上位管理装置であって、
複数の電力供給側から電力消費に関する電力管理情報を取得可能な管理情報取得部と、
前記電力需要施設における電力消費の抑制能力と前記電力需要施設に電力を供給する前記電力供給側との対応関係である第１対応関係について、前記下位管理装置ごとの前記第１対応関係を示す抑制可能量情報を取得する抑制可能量取得部と、
前記電力管理情報および前記抑制可能量情報に基づいて、対応の前記電力需要施設の電力消費の内容を指示するための指示情報を前記下位管理装置に通知する指示部とを備える、上位管理装置。
【請求項２】
前記抑制可能量取得部は、前記管理情報取得部により前記電力管理情報が取得されたことに応答して前記抑制可能量情報を取得し、
前記指示部は、前記抑制可能量取得部により前記抑制可能量情報が取得されたことに応答して前記指示情報の通知を行う、請求項１に記載の上位管理装置。
【請求項３】
前記抑制可能量取得部は、前記管理情報取得部により前記電力管理情報が取得されたことに応答して前記第１対応関係を前記下位管理装置から取得し、取得した前記第１対応関係に基づいて前記抑制可能量情報を作成する、請求項２に記載の上位管理装置。
【請求項４】
前記上位管理装置は、さらに、
前記電力需要施設における電力消費の抑制実績と、前記電力需要施設に電力を供給する前記電力供給側との対応関係である第２対応関係について、前記下位管理装置ごとの前記第２対応関係を示す抑制実績量情報を取得する抑制実績量取得部を備える、請求項１から請求項３のいずれか１項に記載の上位管理装置。
【請求項５】
前記抑制実績量取得部は、各前記下位管理装置の電力消費の基準値と、各前記下位管理装置の電力消費の実績値とに基づいて前記抑制実績量情報を作成する、請求項４に記載の上位管理装置。
【請求項６】
上位管理装置と通信可能であり、電力需要施設における電力消費を抑制可能な下位管理装置であって、
前記電力需要施設における電力消費の抑制能力を取得する抑制可能量取得部と、
前記抑制可能量取得部により取得された前記抑制能力と前記電力需要施設に電力を供給する電力供給側との対応関係である第１対応関係を示す情報を送信する送信部とを備える、下位管理装置。
【請求項７】
前記下位管理装置は、さらに、
前記電力需要施設の電力消費の内容を指示するための前記上位管理装置からの指示情報を取得し、前記指示情報に基づいて前記電力需要施設における電力消費を抑制するための電気機器の制御内容を決定する制御内容決定部を備える、請求項６に記載の下位管理装置。
【請求項８】
前記下位管理装置は、さらに、
前記電力需要施設における電力消費の抑制実績を取得し、前記抑制実績と前記電力需要施設に電力を供給する前記電力供給側との対応関係である第２対応関係を示す情報を取得する抑制実績量処理部を備える、請求項６または請求項７に記載の下位管理装置。
【請求項９】
電力需要施設における電力消費を抑制可能な複数の下位管理装置と、
前記下位管理装置を介して前記電力消費を管理する上位管理装置とを備え、
前記上位管理装置は、複数の電力供給側から電力消費に関する電力管理情報を取得可能であり、
前記下位管理装置は、前記電力需要施設における電力消費の抑制能力と前記電力需要施設に電力を供給する前記電力供給側との対応関係である第１対応関係を示す情報を前記上位管理装置へ送信し、
前記上位管理装置は、前記下位管理装置から受信した情報の示す前記第１対応関係に基づいて、前記下位管理装置ごとの前記第１対応関係を示す抑制可能量情報を作成し、作成した前記抑制可能量情報、および前記電力管理情報に基づいて、対応の前記電力需要施設の電力消費の内容を指示するための指示情報を前記下位管理装置に通知する、電力消費管理システム。
【請求項１０】
前記上位管理装置は、前記電力供給側から前記電力管理情報を取得したことに応答して前記電力管理情報に基づく情報を前記下位管理装置に通知し、
前記下位管理装置は、前記電力管理情報に基づく情報が通知されたことに応答して前記電力需要施設における電力消費の前記抑制能力を取得する、請求項９に記載の電力消費管理システム。
【請求項１１】
前記下位管理装置は、前記上位管理装置から前記指示情報を受信すると、前記指示情報に基づいて前記電力需要施設における電力消費を抑制するための電気機器の制御内容を決定し、決定した前記制御内容を前記電力需要施設に通知する、請求項９または請求項１０に記載の電力消費管理システム。
【請求項１２】
前記下位管理装置は、前記電力需要施設における電力消費の抑制実績を取得し、前記抑制実績と前記電力需要施設に電力を供給する前記電力供給側との対応関係である第２対応関係を示す情報を前記上位管理装置へ送信し、
前記上位管理装置は、前記下位管理装置から受信した情報の示す前記第２対応関係に基づいて、前記下位管理装置ごとの前記第２対応関係を示す抑制実績量情報を作成し、作成した前記抑制実績量情報を前記電力供給側へ送信する、請求項９から請求項１１のいずれか１項に記載の電力消費管理システム。
【請求項１３】
電力需要施設における電力消費を抑制可能な複数の下位管理装置を介して前記電力消費を管理する上位管理装置における電力消費管理方法であって、
前記上位管理装置は、複数の電力供給側から電力消費に関する電力管理情報を取得可能であり、
前記電力需要施設における電力消費の抑制能力と前記電力需要施設に電力を供給する前記電力供給側との対応関係である第１対応関係について、前記下位管理装置ごとの前記第１対応関係を示す抑制可能量情報を取得するステップと、
前記電力管理情報および前記抑制可能量情報に基づいて、対応の前記電力需要施設の電力消費の内容を指示するための指示情報を前記下位管理装置に通知するステップとを含む、電力消費管理方法。
【請求項１４】
上位管理装置と通信可能であり、電力需要施設における電力消費を抑制可能な下位管理装置における電力消費管理方法であって、
前記電力需要施設における電力消費の抑制能力を取得するステップと、
取得した前記抑制能力と前記電力需要施設に電力を供給する電力供給側との対応関係である第１対応関係を示す情報を送信するステップとを含む、電力消費管理方法。
【請求項１５】
電力需要施設における電力消費を抑制可能な複数の下位管理装置と、
前記下位管理装置を介して前記電力消費を管理する上位管理装置とを備える電力消費管理システムにおける電力消費管理方法であって、
前記上位管理装置は、複数の電力供給側から電力消費に関する電力管理情報を取得可能であり、
前記下位管理装置が、前記電力需要施設における電力消費の抑制能力と前記電力需要施設に電力を供給する前記電力供給側との対応関係である第１対応関係を示す情報を前記上位管理装置へ送信するステップと、
前記上位管理装置が、前記下位管理装置から受信した情報の示す前記第１対応関係に基づいて、前記下位管理装置ごとの前記第１対応関係を示す抑制可能量情報を作成するステップと、
前記上位管理装置が、作成した前記抑制可能量情報、および前記電力管理情報に基づいて、対応の前記電力需要施設の電力消費の内容を指示するための指示情報を前記下位管理装置に通知するステップとを含む、電力消費管理方法。
【請求項１６】
電力需要施設における電力消費を抑制可能な複数の下位管理装置を介して前記電力消費を管理する上位管理装置において用いられる電力消費管理プログラムであって、
前記上位管理装置は、複数の電力供給側から電力消費に関する電力管理情報を取得可能であり、
コンピュータに、
前記電力需要施設における電力消費の抑制能力と前記電力需要施設に電力を供給する前記電力供給側との対応関係である第１対応関係について、前記下位管理装置ごとの前記第１対応関係を示す抑制可能量情報を取得するステップと、
前記電力管理情報および前記抑制可能量情報に基づいて、対応の前記電力需要施設の電力消費の内容を指示するための指示情報を前記下位管理装置に通知するステップとを実行させるための、電力消費管理プログラム。
【請求項１７】
上位管理装置と通信可能であり、電力需要施設における電力消費を抑制可能な下位管理装置において用いられる電力消費管理プログラムであって、
コンピュータに、
前記電力需要施設における電力消費の抑制能力を取得するステップと、
取得した前記抑制能力と前記電力需要施設に電力を供給する電力供給側との対応関係である第１対応関係を示す情報を送信するステップとを実行させるための、電力消費管理プログラム。
【請求項１８】
電力需要施設における電力消費を抑制可能な複数の下位管理装置と、
前記下位管理装置を介して前記電力消費を管理する上位管理装置とを備える電力消費管理システムにおいて用いられる電力消費管理プログラムであって、
前記上位管理装置は、複数の電力供給側から電力消費に関する電力管理情報を取得可能であり、
コンピュータに、
前記下位管理装置が、前記電力需要施設における電力消費の抑制能力と前記電力需要施設に電力を供給する前記電力供給側との対応関係である第１対応関係を示す情報を前記上位管理装置へ送信するステップと、
前記上位管理装置が、前記下位管理装置から受信した情報の示す前記第１対応関係に基づいて、前記下位管理装置ごとの前記第１対応関係を示す抑制可能量情報を作成するステップと、
前記上位管理装置が、作成した前記抑制可能量情報、および前記電力管理情報に基づいて、対応の前記電力需要施設の電力消費の内容を指示するための指示情報を前記下位管理装置に通知するステップとを実行させるための、電力消費管理プログラム。
【発明の詳細な説明】
【技術分野】
【０００１】
本発明は、上位管理装置、下位管理装置、電力消費管理システム、電力消費管理方法および電力消費管理プログラムに関し、特に、複数の電力需要施設における電力消費を管理する上位管理装置、下位管理装置、電力消費管理システム、電力消費管理方法および電力消費管理プログラムに関する。
【背景技術】
【０００２】
従来、電力需給が逼迫している場合等に一般家庭およびオフィス等の電力需要施設における電力消費が抑制されるように、複数の電力需要施設における電力消費を管理するシステムが開発されている。
【０００３】
たとえば、特許文献１（特開２０１２−２０５３５８号公報）には、以下のような技術が開示されている。すなわち、電力消費管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部と、を備える。
【先行技術文献】
【特許文献】
【０００４】
【特許文献１】特開２０１２−２０５３５８号公報
【特許文献２】特開２０１３−１６１１４４号公報
【発明の概要】
【発明が解決しようとする課題】
【０００５】
また、節電を目的として、ビル等へのＢＥＭＳ（Ｂｕｉｌｄｉｎｇ  Ｅｎｅｒｇｙ  Ｍａｎａｇｅｍｅｎｔ  Ｓｙｓｔｅｍ）の導入が行われている。ＢＥＭＳとは、ビル等で使用される電力量を監視し、ビル内の機器または設備等の運転状態を管理することによって、ビル等の消費電力量の削減を図るためのシステムである。ＢＥＭＳは、ＢＥＭＳアグリゲータと呼ばれる事業者等により導入される。ＢＥＭＳアグリゲータは、集中管理システムを設置し、ＢＥＭＳを導入したビル等に対してエネルギー管理支援サービスを行う。
【０００６】
電力会社は、多くのビル等にＢＥＭＳが導入されることにより、電力需要の調整を行わせることが容易となる。たとえば、電力会社は、電力需給の逼迫が予測される場合に、ＢＥＭＳアグリゲータに対して予め節電要請を行う。そして、ＢＥＭＳアグリゲータは、各ビルの需要家に対して節電要請を行うとともに、たとえば、各ビルの空調および照明等を制御して電力の消費を抑制する。
【０００７】
しかしながら、ＢＥＭＳアグリゲータにより管理される各電力需要施設において契約している電力会社が異なることがあり、複数の異なる電力会社がそれぞれ節電要請を行う場合、電力需要の調整が複雑になり各電力需要施設における電力消費の適切な制御が困難になることがある。
【０００８】
この発明は、上述の課題を解決するためになされたもので、その目的は、電力会社側と電力需要施設との間に階層化された複数の管理装置が設けられている場合であって、各電力需要施設において契約している電力会社が異なる場合であっても、各電力需要施設における電力消費の制御を適切に行うことができる上位管理装置、下位管理装置、電力消費管理システム、電力消費管理方法および電力消費管理プログラムを提供することである。
【課題を解決するための手段】
【０００９】
（１）上記課題を解決するために、この発明のある局面に係わる上位管理装置は、電力需要施設における電力消費を抑制可能な複数の下位管理装置を介して前記電力消費を管理する上位管理装置であって、複数の電力供給側から電力消費に関する電力管理情報を取得可能な管理情報取得部と、前記電力需要施設における電力消費の抑制能力と前記電力需要施設に電力を供給する前記電力供給側との対応関係である第１対応関係について、前記下位管理装置ごとの前記第１対応関係を示す抑制可能量情報を取得する抑制可能量取得部と、前記電力管理情報および前記抑制可能量情報に基づいて、対応の前記電力需要施設の電力消費の内容を指示するための指示情報を前記下位管理装置に通知する指示部とを備える。
【００１０】
（６）上記課題を解決するために、この発明のある局面に係わる下位管理装置は、上位管理装置と通信可能であり、電力需要施設における電力消費を抑制可能な下位管理装置であって、前記電力需要施設における電力消費の抑制能力を取得する抑制可能量取得部と、前記抑制可能量取得部により取得された前記抑制能力と前記電力需要施設に電力を供給する電力供給側との対応関係である第１対応関係を示す情報を送信する送信部とを備える。
【００１１】
（９）上記課題を解決するために、この発明のある局面に係わる電力消費管理システムは、電力需要施設における電力消費を抑制可能な複数の下位管理装置と、前記下位管理装置を介して前記電力消費を管理する上位管理装置とを備え、前記上位管理装置は、複数の電力供給側から電力消費に関する電力管理情報を取得可能であり、前記下位管理装置は、前記電力需要施設における電力消費の抑制能力と前記電力需要施設に電力を供給する前記電力供給側との対応関係である第１対応関係を示す情報を前記上位管理装置へ送信し、前記上位管理装置は、前記下位管理装置から受信した情報の示す前記第１対応関係に基づいて、前記下位管理装置ごとの前記第１対応関係を示す抑制可能量情報を作成し、作成した前記抑制可能量情報、および前記電力管理情報に基づいて、対応の前記電力需要施設の電力消費の内容を指示するための指示情報を前記下位管理装置に通知する。
【００１２】
（１３）上記課題を解決するために、この発明のある局面に係わる電力消費管理方法は、電力需要施設における電力消費を抑制可能な複数の下位管理装置を介して前記電力消費を管理する上位管理装置における電力消費管理方法であって、前記上位管理装置は、複数の電力供給側から電力消費に関する電力管理情報を取得可能であり、前記電力需要施設における電力消費の抑制能力と前記電力需要施設に電力を供給する前記電力供給側との対応関係である第１対応関係について、前記下位管理装置ごとの前記第１対応関係を示す抑制可能量情報を取得するステップと、前記電力管理情報および前記抑制可能量情報に基づいて、対応の前記電力需要施設の電力消費の内容を指示するための指示情報を前記下位管理装置に通知するステップとを含む。
【００１３】
（１４）上記課題を解決するために、この発明の別の局面に係わる電力消費管理方法は、上位管理装置と通信可能であり、電力需要施設における電力消費を抑制可能な下位管理装置における電力消費管理方法であって、前記電力需要施設における電力消費の抑制能力を取得するステップと、取得した前記抑制能力と前記電力需要施設に電力を供給する電力供給側との対応関係である第１対応関係を示す情報を送信するステップとを含む。
【００１４】
（１５）上記課題を解決するために、この発明の別の局面に係わる電力消費管理方法は、電力需要施設における電力消費を抑制可能な複数の下位管理装置と、前記下位管理装置を介して前記電力消費を管理する上位管理装置とを備える電力消費管理システムにおける電力消費管理方法であって、前記上位管理装置は、複数の電力供給側から電力消費に関する電力管理情報を取得可能であり、前記下位管理装置が、前記電力需要施設における電力消費の抑制能力と前記電力需要施設に電力を供給する前記電力供給側との対応関係である第１対応関係を示す情報を前記上位管理装置へ送信するステップと、前記上位管理装置が、前記下位管理装置から受信した情報の示す前記第１対応関係に基づいて、前記下位管理装置ごとの前記第１対応関係を示す抑制可能量情報を作成するステップと、前記上位管理装置が、作成した前記抑制可能量情報、および前記電力管理情報に基づいて、対応の前記電力需要施設の電力消費の内容を指示するための指示情報を前記下位管理装置に通知するステップとを含む。
【００１５】
（１６）上記課題を解決するために、この発明のある局面に係わる電力消費管理プログラムは、電力需要施設における電力消費を抑制可能な複数の下位管理装置を介して前記電力消費を管理する上位管理装置において用いられる電力消費管理プログラムであって、前記上位管理装置は、複数の電力供給側から電力消費に関する電力管理情報を取得可能であり、コンピュータに、前記電力需要施設における電力消費の抑制能力と前記電力需要施設に電力を供給する前記電力供給側との対応関係である第１対応関係について、前記下位管理装置ごとの前記第１対応関係を示す抑制可能量情報を取得するステップと、前記電力管理情報および前記抑制可能量情報に基づいて、対応の前記電力需要施設の電力消費の内容を指示するための指示情報を前記下位管理装置に通知するステップとを実行させるためのプログラムである。
【００１６】
（１７）上記課題を解決するために、この発明の別の局面に係わる電力消費管理プログラムは、上位管理装置と通信可能であり、電力需要施設における電力消費を抑制可能な下位管理装置において用いられる電力消費管理プログラムであって、コンピュータに、前記電力需要施設における電力消費の抑制能力を取得するステップと、取得した前記抑制能力と前記電力需要施設に電力を供給する電力供給側との対応関係である第１対応関係を示す情報を送信するステップとを実行させるためのプログラムである。
【００１７】
（１８）上記課題を解決するために、この発明の別の局面に係わる電力消費管理プログラムは、電力需要施設における電力消費を抑制可能な複数の下位管理装置と、前記下位管理装置を介して前記電力消費を管理する上位管理装置とを備える電力消費管理システムにおいて用いられる電力消費管理プログラムであって、前記上位管理装置は、複数の電力供給側から電力消費に関する電力管理情報を取得可能であり、コンピュータに、前記下位管理装置が、前記電力需要施設における電力消費の抑制能力と前記電力需要施設に電力を供給する前記電力供給側との対応関係である第１対応関係を示す情報を前記上位管理装置へ送信するステップと、前記上位管理装置が、前記下位管理装置から受信した情報の示す前記第１対応関係に基づいて、前記下位管理装置ごとの前記第１対応関係を示す抑制可能量情報を作成するステップと、前記上位管理装置が、作成した前記抑制可能量情報、および前記電力管理情報に基づいて、対応の前記電力需要施設の電力消費の内容を指示するための指示情報を前記下位管理装置に通知するステップとを実行させるためのプログラムである。
【００１８】
本発明は、このような特徴的な処理部を備える上位管理装置の一部または全部を実現する半導体集積回路として実現することができる。
【００１９】
また、本発明は、このような特徴的な処理部を備える下位管理装置の一部または全部を実現する半導体集積回路として実現することができる。
【００２０】
また、本発明は、このような特徴的な処理部を備える電力消費管理システムの一部または全部を実現する半導体集積回路として実現することができる。
【発明の効果】
【００２１】
本発明によれば、電力会社側と電力需要施設との間に階層化された複数の管理装置が設けられている場合であって、各電力需要施設において契約している電力会社が異なる場合であっても、各電力需要施設における電力消費の制御を適切に行うことができる。
【図面の簡単な説明】
【００２２】
【図１】図１は、本発明の実施の形態に係る電力消費管理システムの構成を示す図である。
【図２】図２は、本発明の実施の形態に係る電力消費管理システムにおける上位管理装置の構成を示す図である。
【図３】図３は、抑制可能量テーブルＴ１の一例を示す図である。
【図４】図４は、下位管理装置別抑制可能量テーブルＴ２の一例を示す図である。
【図５】図５は、消費電力量テーブルＴ３の一例を示す図である。
【図６】図６は、下位管理装置別消費電力量テーブルＴ４の一例を示す図である。
【図７】図７は、下位管理装置別抑制実績量テーブルＴ５の一例を示す図である。
【図８】図８は、本発明の実施の形態に係る電力消費管理システムにおける下位管理装置の構成を示す図である。
【図９】図９は、過去消費電力量テーブルＴ６の一例を示す図である。
【図１０】図１０は、抑制実績量テーブルＴ７の一例を示す図である。
【図１１】図１１は、イベント情報テーブルＴ８の一例を示す図である。
【図１２】図１２は、契約電力会社情報テーブルＴ９の一例を示す図である。
【図１３】図１３は、基準値算出用テーブルＴ１０の一例を示す図である。
【図１４】図１４は、本発明の実施の形態に係る電力消費管理システムによる指示情報Ｘ１および指示情報Ｘ２の通知処理における動作手順（その１）を示すシーケンス図である。
【図１５】図１５は、図１４に示すシーケンス図のつづきである電力消費管理システムによる指示情報Ｘ１および指示情報Ｘ２の通知処理における動作手順（その２）を示すシーケンス図である。
【図１６】図１６は、本発明の実施の形態に係る電力消費管理システムによる抑制実績量の通知処理における動作手順を示すシーケンス図である。
【図１７】図１７は、本発明の実施の形態に係る電力消費管理システムによる対価の額の分配処理における動作手順を示すシーケンス図である。
【発明を実施するための形態】
【００２３】
最初に、本発明の実施形態の内容を列記して説明する。
【００２４】
（１）本発明の実施の形態に係る上位管理装置は、電力需要施設における電力消費を抑制可能な複数の下位管理装置を介して前記電力消費を管理する上位管理装置であって、複数の電力供給側から電力消費に関する電力管理情報を取得可能な管理情報取得部と、前記電力需要施設における電力消費の抑制能力と前記電力需要施設に電力を供給する前記電力供給側との対応関係である第１対応関係について、前記下位管理装置ごとの前記第１対応関係を示す抑制可能量情報を取得する抑制可能量取得部と、前記電力管理情報および前記抑制可能量情報に基づいて、対応の前記電力需要施設の電力消費の内容を指示するための指示情報を前記下位管理装置に通知する指示部とを備える。
【００２５】
このような構成により、上位管理装置が、各電力需要施設における電力消費の節電能力と、電力供給側から送信される電力管理情報との双方を集中して管理することができるため、各電力需要施設の電力消費について適切な内容を指示することができる。
【００２６】
また、第１対応関係には、電力需要施設における電力消費の抑制能力と当該電力需要施設に電力を供給する電力供給側とが対応づけられていることにより、複数の電力供給側からそれぞれ電力管理情報が送信された場合であっても、上位管理装置が、各電力供給側に対する電力消費の抑制能力を把握することができる。従って、電力会社側と電力需要施設との間に階層化された複数の管理装置が設けられている場合であって、各電力需要施設において契約している電力会社が異なる場合であっても、各電力需要施設における電力消費の制御を適切に行うことができる。
【００２７】
また、上位管理装置が各電力需要施設における電力消費に関する情報を保持する必要が無いため、各電力需要施設における設備または住環境等が変化した場合であっても柔軟かつ迅速に対応し、各電力需要施設における電力消費の制御を適切に行うことができる。
【００２８】
（２）好ましくは、前記抑制可能量取得部は、前記管理情報取得部により前記電力管理情報が取得されたことに応答して前記抑制可能量情報を取得し、前記指示部は、前記抑制可能量取得部により前記抑制可能量情報が取得されたことに応答して前記指示情報の通知を行う。
【００２９】
このような構成により、電力管理情報が取得された時点の電力需要施設における電力消費の最新の抑制能力を指示情報に反映することができるため、電力需要施設における設備または住環境などの変化により適切に対応することできる。
【００３０】
（３）より好ましくは、前記抑制可能量取得部は、前記管理情報取得部により前記電力管理情報が取得されたことに応答して前記第１対応関係を前記下位管理装置から取得し、取得した前記第１対応関係に基づいて前記抑制可能量情報を作成する。
【００３１】
このように、抑制可能量取得部が抑制可能量情報を作成する構成により、たとえば下位管理装置が各電力供給側に対する抑制可能量を算出するなどの複雑な演算処理を行う必要がなく、抑制可能量情報を容易に取得することができる。
【００３２】
（４）好ましくは、前記上位管理装置は、さらに、前記電力需要施設における電力消費の抑制実績と、前記電力需要施設に電力を供給する前記電力供給側との対応関係である第２対応関係について、前記下位管理装置ごとの前記第２対応関係を示す抑制実績量情報を取得する抑制実績量取得部を備える。
【００３３】
このような構成により、上位管理装置は、電力管理情報に応じた電力消費の内容が下位管理装置において実現できたか否かを確認することができる。また、抑制実績量情報を取得することにより、たとえば電力供給側から電力消費の抑制を行うことのインセンティブとして対価等が付与された場合、当該対価等を各下位管理装置の抑制実績量に応じて各下位管理装置に適切に分配することができる。
【００３４】
（５）好ましくは、前記抑制実績量取得部は、各前記下位管理装置の電力消費の基準値と、各前記下位管理装置の電力消費の実績値とに基づいて前記抑制実績量情報を作成する。
【００３５】
このように、電力消費の基準となる情報と電力需要施設における実際の消費電力量とに基づいて抑制実績量情報を作成することにより、より適切な抑制実績量を算出することができる。
【００３６】
また、このように、上位管理装置が抑制実績量情報を作成する構成により、たとえば下位管理装置が各電力供給側に対する抑制実績量を算出するなどの複雑な演算処理を行う必要がなく、抑制実績量情報を容易に取得することができる。
【００３７】
（６）本発明の実施の形態に係る下位管理装置は、上位管理装置と通信可能であり、電力需要施設における電力消費を抑制可能な下位管理装置であって、前記電力需要施設における電力消費の抑制能力を取得する抑制可能量取得部と、前記抑制可能量取得部により取得された前記抑制能力と前記電力需要施設に電力を供給する電力供給側との対応関係である第１対応関係を示す情報を送信する送信部とを備える。
【００３８】
このような構成により、各下位管理装置の第１対応関係を取得した上位管理装置が、各電力需要施設における電力消費の節電能力を集中して管理することができるため、各電力需要施設の電力消費について適切な内容を指示することができる。
【００３９】
また、第１対応関係には、電力需要施設における電力消費の抑制能力と当該電力需要施設に電力を供給する電力供給側とが対応づけられていることにより、複数の電力供給側からそれぞれ電力管理情報が送信された場合であっても、上位管理装置が、各電力供給側に対する電力消費の抑制能力を把握することができる。従って、電力会社側と電力需要施設との間に階層化された複数の管理装置が設けられている場合であって、各電力需要施設において契約している電力会社が異なる場合であっても、各電力需要施設における電力消費の制御を適切に行うことができる。
【００４０】
また、上位管理装置が各電力需要施設における電力消費に関する情報を保持する必要が無いため、各電力需要施設における設備または住環境等が変化した場合であっても柔軟かつ迅速に対応し、各電力需要施設における電力消費の制御を適切に行うことができる。
【００４１】
（７）好ましくは、前記下位管理装置は、さらに、前記電力需要施設の電力消費の内容を指示するための前記上位管理装置からの指示情報を取得し、前記指示情報に基づいて前記電力需要施設における電力消費を抑制するための電気機器の制御内容を決定する制御内容決定部を備える。
【００４２】
このような構成により、電力需要施設において、上位管理装置からの指示情報に従った電力消費を容易に実現することができる。
【００４３】
（８）好ましくは、前記下位管理装置は、さらに、前記電力需要施設における電力消費の抑制実績を取得し、前記抑制実績と前記電力需要施設に電力を供給する前記電力供給側との対応関係である第２対応関係を示す情報を取得する抑制実績量処理部を備える。
【００４４】
このような構成により、たとえば電力供給側から電力消費の抑制を行うことのインセンティブとして対価等が付与された場合、当該電力供給側に対応する抑制実績に基づいて、当該対価等を各電力需要施設における電力消費の抑制実績に応じて各電力需要施設に適切に分配することができる。
【００４５】
（９）本発明の実施の形態に係る電力消費管理システムは、電力需要施設における電力消費を抑制可能な複数の下位管理装置と、前記下位管理装置を介して前記電力消費を管理する上位管理装置とを備え、前記上位管理装置は、複数の電力供給側から電力消費に関する電力管理情報を取得可能であり、前記下位管理装置は、前記電力需要施設における電力消費の抑制能力と前記電力需要施設に電力を供給する前記電力供給側との対応関係である第１対応関係を示す情報を前記上位管理装置へ送信し、前記上位管理装置は、前記下位管理装置から受信した情報の示す前記第１対応関係に基づいて、前記下位管理装置ごとの前記第１対応関係を示す抑制可能量情報を作成し、作成した前記抑制可能量情報、および前記電力管理情報に基づいて、対応の前記電力需要施設の電力消費の内容を指示するための指示情報を前記下位管理装置に通知する。
【００４６】
このような構成により、上位管理装置が、各電力需要施設における電力消費の節電能力と、電力供給側から送信される電力管理情報との双方を集中して管理することができるため、各電力需要施設の電力消費について適切な内容を指示することができる。
【００４７】
また、第１対応関係には、電力需要施設における電力消費の抑制能力と当該電力需要施設に電力を供給する電力供給側とが対応づけられていることにより、複数の電力供給側からそれぞれ電力管理情報が送信された場合であっても、上位管理装置が、各電力供給側に対する電力消費の抑制能力を把握することができる。従って、電力会社側と電力需要施設との間に階層化された複数の管理装置が設けられている場合であって、各電力需要施設において契約している電力会社が異なる場合であっても、各電力需要施設における電力消費の制御を適切に行うことができる。
【００４８】
また、上位管理装置が各電力需要施設における電力消費に関する情報を保持する必要が無いため、各電力需要施設における設備または住環境等が変化した場合であっても柔軟かつ迅速に対応し、各電力需要施設における電力消費の制御を適切に行うことができる。
【００４９】
また、このように、上位管理装置が抑制可能量情報を作成する構成により、たとえば下位管理装置が各電力供給側に対する抑制可能量を算出するなどの複雑な演算処理を行う必要がなく、抑制可能量情報を容易に取得することができる。
【００５０】
（１０）好ましくは、前記上位管理装置は、前記電力供給側から前記電力管理情報を取得したことに応答して前記電力管理情報に基づく情報を前記下位管理装置に通知し、前記下位管理装置は、前記電力管理情報に基づく情報が通知されたことに応答して前記電力需要施設における電力消費の前記抑制能力を取得する。
【００５１】
このような構成により、電力管理情報が取得された時点の電力需要施設における電力消費の最新の抑制能力を指示情報に反映することができるため、電力需要施設における設備または住環境などの変化により適切に対応することできる。
【００５２】
（１１）好ましくは、前記下位管理装置は、前記上位管理装置から前記指示情報を受信すると、前記指示情報に基づいて前記電力需要施設における電力消費を抑制するための電気機器の制御内容を決定し、決定した前記制御内容を前記電力需要施設に通知する。
【００５３】
このような構成により、電力需要施設において、上位管理装置からの指示情報に従った電力消費を容易に実現することができる。
【００５４】
（１２）好ましくは、前記下位管理装置は、前記電力需要施設における電力消費の抑制実績を取得し、前記抑制実績と前記電力需要施設に電力を供給する前記電力供給側との対応関係である第２対応関係を示す情報を前記上位管理装置へ送信し、前記上位管理装置は、前記下位管理装置から受信した情報の示す前記第２対応関係に基づいて、前記下位管理装置ごとの前記第２対応関係を示す抑制実績量情報を作成し、作成した前記抑制実績量情報を前記電力供給側へ送信する。
【００５５】
このような構成により、上位管理装置は、電力管理情報に応じた電力消費の内容が下位管理装置において実現できたか否かを確認することができる。また、抑制実績量情報を取得することにより、たとえば電力供給側から電力消費の抑制を行うことのインセンティブとして対価等が付与された場合、当該対価等を各下位管理装置の抑制実績量に応じて各下位管理装置に適切に分配することができる。
【００５６】
また、このように、上位管理装置が抑制実績量情報を作成する構成により、たとえば下位管理装置が各電力供給側に対する抑制実績量を算出するなどの複雑な演算処理を行う必要がなく、抑制実績量情報を容易に取得することができる。
【００５７】
（１３）本発明の実施の形態に係る電力消費管理方法は、電力需要施設における電力消費を抑制可能な複数の下位管理装置を介して前記電力消費を管理する上位管理装置における電力消費管理方法であって、前記上位管理装置は、複数の電力供給側から電力消費に関する電力管理情報を取得可能であり、前記電力需要施設における電力消費の抑制能力と前記電力需要施設に電力を供給する前記電力供給側との対応関係である第１対応関係について、前記下位管理装置ごとの前記第１対応関係を示す抑制可能量情報を取得するステップと、前記電力管理情報および前記抑制可能量情報に基づいて、対応の前記電力需要施設の電力消費の内容を指示するための指示情報を前記下位管理装置に通知するステップとを含む。
【００５８】
このような方法により、上位管理装置が、各電力需要施設における電力消費の節電能力と、電力供給側から送信される電力管理情報との双方を集中して管理することができるため、各電力需要施設の電力消費について適切な内容を指示することができる。
【００５９】
また、第１対応関係には、電力需要施設における電力消費の抑制能力と当該電力需要施設に電力を供給する電力供給側とが対応づけられていることにより、複数の電力供給側からそれぞれ電力管理情報が送信された場合であっても、上位管理装置が、各電力供給側に対する電力消費の抑制能力を把握することができる。従って、電力会社側と電力需要施設との間に階層化された複数の管理装置が設けられている場合であって、各電力需要施設において契約している電力会社が異なる場合であっても、各電力需要施設における電力消費の制御を適切に行うことができる。
【００６０】
また、上位管理装置が各電力需要施設における電力消費に関する情報を保持する必要が無いため、各電力需要施設における設備または住環境等が変化した場合であっても柔軟かつ迅速に対応し、各電力需要施設における電力消費の制御を適切に行うことができる。
【００６１】
（１４）本発明の実施の形態に係る電力消費管理方法は、上位管理装置と通信可能であり、電力需要施設における電力消費を抑制可能な下位管理装置における電力消費管理方法であって、前記電力需要施設における電力消費の抑制能力を取得するステップと、取得した前記抑制能力と前記電力需要施設に電力を供給する電力供給側との対応関係である第１対応関係を示す情報を送信するステップとを含む。
【００６２】
このような方法により、各下位管理装置の第１対応関係を取得した上位管理装置が、各電力需要施設における電力消費の節電能力を集中して管理することができるため、各電力需要施設の電力消費について適切な内容を指示することができる。
【００６３】
また、第１対応関係には、電力需要施設における電力消費の抑制能力と当該電力需要施設に電力を供給する電力供給側とが対応づけられていることにより、複数の電力供給側からそれぞれ電力管理情報が送信された場合であっても、上位管理装置が、各電力供給側に対する電力消費の抑制能力を把握することができる。従って、電力会社側と電力需要施設との間に階層化された複数の管理装置が設けられている場合であって、各電力需要施設において契約している電力会社が異なる場合であっても、各電力需要施設における電力消費の制御を適切に行うことができる。
【００６４】
また、上位管理装置が各電力需要施設における電力消費に関する情報を保持する必要が無いため、各電力需要施設における設備または住環境等が変化した場合であっても柔軟かつ迅速に対応し、各電力需要施設における電力消費の制御を適切に行うことができる。
【００６５】
（１５）本発明の実施の形態に係る電力消費管理方法は、電力需要施設における電力消費を抑制可能な複数の下位管理装置と、前記下位管理装置を介して前記電力消費を管理する上位管理装置とを備える電力消費管理システムにおける電力消費管理方法であって、前記上位管理装置は、複数の電力供給側から電力消費に関する電力管理情報を取得可能であり、前記下位管理装置が、前記電力需要施設における電力消費の抑制能力と前記電力需要施設に電力を供給する前記電力供給側との対応関係である第１対応関係を示す情報を前記上位管理装置へ送信するステップと、前記上位管理装置が、前記下位管理装置から受信した情報の示す前記第１対応関係に基づいて、前記下位管理装置ごとの前記第１対応関係を示す抑制可能量情報を作成するステップと、前記上位管理装置が、作成した前記抑制可能量情報、および前記電力管理情報に基づいて、対応の前記電力需要施設の電力消費の内容を指示するための指示情報を前記下位管理装置に通知するステップとを含む。
【００６６】
このような方法により、上位管理装置が、各電力需要施設における電力消費の節電能力と、電力供給側から送信される電力管理情報との双方を集中して管理することができるため、各電力需要施設の電力消費について適切な内容を指示することができる。
【００６７】
また、第１対応関係には、電力需要施設における電力消費の抑制能力と当該電力需要施設に電力を供給する電力供給側とが対応づけられていることにより、複数の電力供給側からそれぞれ電力管理情報が送信された場合であっても、上位管理装置が、各電力供給側に対する電力消費の抑制能力を把握することができる。従って、電力会社側と電力需要施設との間に階層化された複数の管理装置が設けられている場合であって、各電力需要施設において契約している電力会社が異なる場合であっても、各電力需要施設における電力消費の制御を適切に行うことができる。
【００６８】
また、上位管理装置が各電力需要施設における電力消費に関する情報を保持する必要が無いため、各電力需要施設における設備または住環境等が変化した場合であっても柔軟かつ迅速に対応し、各電力需要施設における電力消費の制御を適切に行うことができる。
【００６９】
また、このように、上位管理装置が抑制可能量情報を作成することにより、たとえば下位管理装置が各電力供給側に対する抑制可能量を算出するなどの複雑な演算処理を行う必要がなく、抑制可能量情報を容易に取得することができる。
【００７０】
（１６）本発明の実施の形態に係る電力消費管理プログラムは、電力需要施設における電力消費を抑制可能な複数の下位管理装置を介して前記電力消費を管理する上位管理装置において用いられる電力消費管理プログラムであって、前記上位管理装置は、複数の電力供給側から電力消費に関する電力管理情報を取得可能であり、コンピュータに、前記電力需要施設における電力消費の抑制能力と前記電力需要施設に電力を供給する前記電力供給側との対応関係である第１対応関係について、前記下位管理装置ごとの前記第１対応関係を示す抑制可能量情報を取得するステップと、前記電力管理情報および前記抑制可能量情報に基づいて、対応の前記電力需要施設の電力消費の内容を指示するための指示情報を前記下位管理装置に通知するステップとを実行させるためのプログラムである。
【００７１】
このようなプログラムにより、上位管理装置が、各電力需要施設における電力消費の節電能力と、電力供給側から送信される電力管理情報との双方を集中して管理することができるため、各電力需要施設の電力消費について適切な内容を指示することができる。
【００７２】
また、第１対応関係には、電力需要施設における電力消費の抑制能力と当該電力需要施設に電力を供給する電力供給側とが対応づけられていることにより、複数の電力供給側からそれぞれ電力管理情報が送信された場合であっても、上位管理装置が、各電力供給側に対する電力消費の抑制能力を把握することができる。従って、電力会社側と電力需要施設との間に階層化された複数の管理装置が設けられている場合であって、各電力需要施設において契約している電力会社が異なる場合であっても、各電力需要施設における電力消費の制御を適切に行うことができる。
【００７３】
また、上位管理装置が各電力需要施設における電力消費に関する情報を保持する必要が無いため、各電力需要施設における設備または住環境等が変化した場合であっても柔軟かつ迅速に対応し、各電力需要施設における電力消費の制御を適切に行うことができる。
【００７４】
（１７）本発明の実施の形態に係る電力消費管理プログラムは、上位管理装置と通信可能であり、電力需要施設における電力消費を抑制可能な下位管理装置において用いられる電力消費管理プログラムであって、コンピュータに、前記電力需要施設における電力消費の抑制能力を取得するステップと、取得した前記抑制能力と前記電力需要施設に電力を供給する電力供給側との対応関係である第１対応関係を示す情報を送信するステップとを実行させるためのプログラムである。
【００７５】
このようなプログラムにより、各下位管理装置の第１対応関係を取得した上位管理装置が、各電力需要施設における電力消費の節電能力を集中して管理することができるため、各電力需要施設の電力消費について適切な内容を指示することができる。
【００７６】
また、第１対応関係には、電力需要施設における電力消費の抑制能力と当該電力需要施設に電力を供給する電力供給側とが対応づけられていることにより、複数の電力供給側からそれぞれ電力管理情報が送信された場合であっても、上位管理装置が、各電力供給側に対する電力消費の抑制能力を把握することができる。従って、電力会社側と電力需要施設との間に階層化された複数の管理装置が設けられている場合であって、各電力需要施設において契約している電力会社が異なる場合であっても、各電力需要施設における電力消費の制御を適切に行うことができる。
【００７７】
また、上位管理装置が各電力需要施設における電力消費に関する情報を保持する必要が無いため、各電力需要施設における設備または住環境等が変化した場合であっても柔軟かつ迅速に対応し、各電力需要施設における電力消費の制御を適切に行うことができる。
【００７８】
（１８）本発明の実施の形態に係る電力消費管理プログラムは、電力需要施設における電力消費を抑制可能な複数の下位管理装置と、前記下位管理装置を介して前記電力消費を管理する上位管理装置とを備える電力消費管理システムにおいて用いられる電力消費管理プログラムであって、前記上位管理装置は、複数の電力供給側から電力消費に関する電力管理情報を取得可能であり、コンピュータに、前記下位管理装置が、前記電力需要施設における電力消費の抑制能力と前記電力需要施設に電力を供給する前記電力供給側との対応関係である第１対応関係を示す情報を前記上位管理装置へ送信するステップと、前記上位管理装置が、前記下位管理装置から受信した情報の示す前記第１対応関係に基づいて、前記下位管理装置ごとの前記第１対応関係を示す抑制可能量情報を作成するステップと、前記上位管理装置が、作成した前記抑制可能量情報、および前記電力管理情報に基づいて、対応の前記電力需要施設の電力消費の内容を指示するための指示情報を前記下位管理装置に通知するステップとを実行させるためのプログラムである。
【００７９】
このようなプログラムにより、上位管理装置が、各電力需要施設における電力消費の節電能力と、電力供給側から送信される電力管理情報との双方を集中して管理することができるため、各電力需要施設の電力消費について適切な内容を指示することができる。
【００８０】
また、第１対応関係には、電力需要施設における電力消費の抑制能力と当該電力需要施設に電力を供給する電力供給側とが対応づけられていることにより、複数の電力供給側からそれぞれ電力管理情報が送信された場合であっても、上位管理装置が、各電力供給側に対する電力消費の抑制能力を把握することができる。従って、電力会社側と電力需要施設との間に階層化された複数の管理装置が設けられている場合であって、各電力需要施設において契約している電力会社が異なる場合であっても、各電力需要施設における電力消費の制御を適切に行うことができる。
【００８１】
また、上位管理装置が各電力需要施設における電力消費に関する情報を保持する必要が無いため、各電力需要施設における設備または住環境等が変化した場合であっても柔軟かつ迅速に対応し、各電力需要施設における電力消費の制御を適切に行うことができる。
【００８２】
また、このように、上位管理装置が抑制可能量情報を作成することにより、たとえば下位管理装置が各電力供給側に対する抑制可能量をそれぞれ算出するなどの複雑な演算処理を行う必要がなく、抑制可能量情報を容易に取得することができる。
【００８３】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００８４】
［構成および基本動作］
（システム全体の構成）
図１は、本発明の実施の形態に係る電力消費管理システムの構成を示す図である。
【００８５】
図１を参照して、本発明の実施の形態に係る電力消費管理システム２０１は、複数の電力会社サーバ１０１と、上位管理装置１０２と、複数の下位管理装置１０３と、複数の需要家装置１５１とを備える。
【００８６】
電力会社サーバ１０１は、電力需要施設に電力を供給する電力供給側である電力会社等により運用され、電力消費に関する電力管理情報を上位管理装置１０２へ送信する。この電力管理情報は、電力需給の逼迫が予測される期間を示す情報、日別もしくは時間帯別の電気料金情報、または、電力の節電要請を示す情報などである。
【００８７】
需要家装置１５１は、電力会社から電力の供給を受けるビル、工場または家庭などの電力需要施設に設けられている。需要家装置１５１は、電力需要施設における電気機器の動作を制御することによって消費電力量の削減を図るためのＢＥＭＳ（Ｂｕｉｌｄｉｎｇ  Ｅｎｅｒｇｙ  Ｍａｎａｇｅｍｅｎｔ  Ｓｙｓｔｅｍ）またはＨＥＭＳ（Ｈｏｍｅ  Ｅｎｅｒｇｙ  Ｍａｎａｇｅｍｅｎｔ  Ｓｙｓｔｅｍ）等のシステムにおいて用いられる装置である。需要家装置１５１は、たとえばＢＥＭＳにおいて用いられる場合、前述のようなＢＥＭＳアグリゲータと呼ばれる事業者等により導入される。
【００８８】
上位管理装置１０２は、複数の下位管理装置１０３と通信することにより、これら複数の下位管理装置１０３を集中して管理する。具体的には、上位管理装置１０２は、電力会社サーバ１０１から電力管理情報を受信すると、受信した電力管理情報に基づいて、電力需要施設における電力消費の内容を指示するための指示情報Ｘ１を、当該電力需要施設に対応する下位管理装置１０３、すなわち当該電力需要施設に設けられた需要家装置１５１を管理する下位管理装置１０３に通知する。
【００８９】
たとえば、上位管理装置１０２は、受信した電力管理情報に基づいて、電力消費を抑制すべき抑制期間および抑制すべき電力量（以下、「抑制依頼量」と称する）を設定し、設定した抑制期間および抑制依頼量を示す指示情報Ｘ１を１または複数の下位管理装置１０３に通知する。
【００９０】
下位管理装置１０３は、１または複数の需要家装置１５１を含む需要家装置群１６１と通信することにより、１または複数の電力需要施設における電力消費を管理する。具体的には、下位管理装置１０３は、上位管理装置１０２から指示情報Ｘ１が通知されると、当該指示情報Ｘ１に従い、電力消費の内容を指示するための指示情報Ｘ２を需要家装置群１６１に含まれる１または複数の需要家装置１５１に通知することにより、電力需要施設における電力消費を制御する。
【００９１】
すなわち、下位管理装置１０３は、上位管理装置１０２から通知された指示情報Ｘ１に基づいて、自己の管理対象である需要家装置１５１ごとの抑制依頼量を設定する。そして、下位管理装置１０３は、設定した抑制依頼量および抑制期間を示す指示情報Ｘ２を各需要家装置１５１に通知する。
【００９２】
需要家装置１５１は、下位管理装置１０３から通知された指示情報Ｘ２に従い、自己が設けられている電力需要施設の電気機器の動作を制御する。たとえば、需要家装置１５１は、空調の設定温度を上げるなどの制御を行うことにより消費電力量の削減を図る。
【００９３】
また、電力会社サーバ１０１は、電力消費の抑制を行うことのインセンティブとして、たとえば抑制した電力量に応じて、サービスまたは商品と交換可能なポイントなどの対価の額を示す情報を上位管理装置１０２へ送信する。
【００９４】
上位管理装置１０２は、需要家装置群１６１において抑制期間に抑制することのできた電力量（以下、「抑制実績量」と称する）を示す情報を各下位管理装置１０３から受信する。そして、上位管理装置１０２は、電力会社サーバ１０１から受信した情報の示す対価の額を各需要家装置群１６１の抑制実績量に応じて各需要家装置群１６１に分配し、分配した対価の額を示す情報を、それぞれ需要家装置群１６１を管理する下位管理装置１０３へ送信する。
【００９５】
下位管理装置１０３は、上位管理装置１０２から受信した情報の示す対価の額を、需要家装置群１６１に含まれる各需要家装置１５１の抑制実績量に応じて各需要家装置１５１に分配し、分配した対価の額を示す情報をそれぞれ需要家装置１５１へ送信する。
【００９６】
なお、電力消費管理システム２０１は、上位管理装置１０２と下位管理装置１０３との通信を中継する１または複数の中継装置を備えていても良い。また、上位管理装置１０２および下位管理装置１０３は、たとえばクラウドサーバのような仮想的なサーバ上で実現されるものであっても良い。
【００９７】
（上位管理装置の構成）
図２は、本発明の実施の形態に係る電力消費管理システムにおける上位管理装置の構成を示す図である。
【００９８】
図２を参照して、上位管理装置１０２は、管理情報取得部１１と、指示部１２と、抑制可能量処理部（抑制可能量取得部）１３と、抑制実績量処理部（抑制実績量取得部）１４と、分配部１５とを含む。
【００９９】
管理情報取得部１１は、電力会社サーバ１０１から送信される電力管理情報を受信し、受信した電力管理情報を指示部１２へ出力する。
【０１００】
指示部１２は、管理情報取得部１１から受けた電力管理情報に基づいて抑制期間および抑制依頼量を設定する。また、指示部１２は、設定した抑制期間を、自己の管理対象である下位管理装置１０３へ通知する。
【０１０１】
抑制可能量処理部１３は、管理情報取得部１１が電力管理情報を受信したことの通知を受ける。そして、抑制可能量処理部１３は、管理情報取得部１１が電力管理情報を受信したことに応答して、電力需要施設における電力消費の抑制能力を示す情報を取得する。
【０１０２】
すなわち、抑制可能量処理部１３は、各需要家装置１５１において抑制期間に抑制することができると推定される電力量（以下、「抑制可能量」と称する）を示す抑制可能量テーブルＴ１を、自己の上位管理装置１０２の管理対象である下位管理装置１０３からそれぞれ受信する。
【０１０３】
そして、抑制可能量処理部１３は、受信した１または複数の抑制可能量テーブルＴ１に基づいて、各下位管理装置１０３の管理対象である需要家装置群１６１における抑制可能量を示す下位管理装置別抑制可能量テーブル（抑制可能量情報）Ｔ２を作成する。
【０１０４】
図３は、抑制可能量テーブルＴ１の一例を示す図である。また、図４は、下位管理装置別抑制可能量テーブルＴ２の一例を示す図である。
【０１０５】
たとえば、抑制可能量処理部１３は、図３に示すような、各需要家装置１５１の抑制可能量を示す抑制可能量テーブルＴ１を、１または複数の下位管理装置１０３から受信する。そして、抑制可能量処理部１３は、１または複数の抑制可能量テーブルＴ１に基づいて、図４に示すような、各下位管理装置１０３の抑制可能量を示す下位管理装置別抑制可能量テーブルＴ２を作成する。
【０１０６】
再び図２を参照して、抑制可能量処理部１３は、作成した下位管理装置別抑制可能量テーブルＴ２を指示部１２へ出力する。
【０１０７】
なお、抑制可能量処理部１３は、下位管理装置別抑制可能量テーブルＴ２を作成する構成に限らず、たとえば他の装置により作成された下位管理装置別抑制可能量テーブルＴ２を取得する構成であっても良い。
【０１０８】
指示部１２は、抑制可能量処理部１３から下位管理装置別抑制可能量テーブルＴ２を受けたことに応答して、電力管理情報に基づいて設定した抑制依頼量を、下位管理装置別抑制可能量テーブルＴ２に示される下位管理装置１０３ごとの抑制可能量に応じて分割する。そして、指示部１２は、分割した抑制依頼量を最終抑制依頼量として各下位管理装置１０３に割り当てる。そして、指示部１２は、下位管理装置１０３ごとに、割り当てた最終抑制依頼量および抑制期間を示す指示情報Ｘ１を、当該下位管理装置１０３に通知する。
【０１０９】
抑制実績量処理部１４は、抑制期間における各需要家装置１５１の消費電力量を示す消費電力量テーブルＴ３を、自己の上位管理装置１０２の管理対象である１または複数の下位管理装置１０３から受信する。そして、抑制実績量処理部１４は、受信した消費電力量テーブルＴ３に基づいて、抑制期間における下位管理装置１０３ごとの消費電力量を示す下位管理装置別消費電力量テーブルＴ４を作成する。
【０１１０】
図５は、消費電力量テーブルＴ３の一例を示す図である。また、図６は、下位管理装置別消費電力量テーブルＴ４の一例を示す図である。
【０１１１】
たとえば、抑制実績量処理部１４は、図５に示すような、抑制期間における各需要家装置１５１の消費電力量を示す消費電力量テーブルＴ３を、１または複数の下位管理装置１０３から受信する。そして、抑制実績量処理部１４は、１または複数の消費電力量テーブルＴ３に基づいて、図６に示すような、抑制期間における各下位管理装置１０３の管理対象である需要家装置群１６１の消費電力量を示す下位管理装置別消費電力量テーブルＴ４を作成する。
【０１１２】
また、抑制実績量処理部１４は、たとえば需要家装置群１６１ごとの、消費電力量の基準となる基準電力消費情報Ｙ１を電力会社サーバ１０１から受信する。この基準電力消費情報Ｙ１は、たとえば、電力会社サーバ１０１により過去のデータに基づいて算出される、需要家装置群１６１における消費電力量の基準となるベースライン（以下、単に「需要家装置群１６１の基準値」と称する）を示す。
【０１１３】
そして、抑制実績量処理部１４は、需要家装置群１６１ごとに、需要家装置群１６１の基準値と、下位管理装置別消費電力量テーブルＴ４に示される当該需要家装置群１６１の消費電力量との差を算出することにより、各需要家装置群１６１における抑制実績量を取得する。そして、抑制実績量処理部１４は、各需要家装置群１６１における抑制実績量を示す下位管理装置別抑制実績量テーブル（抑制実績量情報）Ｔ５を作成する。
【０１１４】
図７は、下位管理装置別抑制実績量テーブルＴ５の一例を示す図である。
【０１１５】
たとえば、抑制実績量処理部１４は、図７に示すような、各下位管理装置１０３の管理対象である需要家装置群１６１における抑制実績量を示す下位管理装置別抑制実績量テーブルＴ５を作成する。そして、抑制実績量処理部１４は、作成した下位管理装置別抑制実績量テーブルＴ５を電力会社サーバ１０１へ送信する。
【０１１６】
なお、抑制実績量処理部１４は、下位管理装置別消費電力量テーブルＴ４および下位管理装置別抑制実績量テーブルＴ５を作成する構成に限らず、たとえば他の装置により作成された下位管理装置別消費電力量テーブルＴ４および下位管理装置別抑制実績量テーブルＴ５を取得する構成であっても良い。
【０１１７】
再び図２を参照して、分配部１５は、インセンティブとして、抑制期間における抑制実績量に応じた対価の額を示す情報を電力会社サーバ１０１から受信する。そして、分配部１５は、受信した情報の示す対価の額を、各需要家装置群１６１の抑制実績量に応じて各需要家装置群１６１に分配し、分配した対価の額を示す情報を、それぞれ需要家装置群１６１を管理する下位管理装置１０３へ送信する。
【０１１８】
（下位管理装置の構成）
図８は、本発明の実施の形態に係る電力消費管理システムにおける下位管理装置の構成を示す図である。
【０１１９】
図８を参照して、下位管理装置１０３は、記憶部２１と、抑制可能量処理部（抑制可能量取得部および送信部）２２と、制御内容決定部２３と、指示部２４と、抑制実績量処理部２５と、分配部２６とを含む。
【０１２０】
記憶部２１は、過去の抑制期間における各需要家装置１５１の消費電力量を示す過去消費電力量テーブルＴ６を記憶する。
【０１２１】
抑制可能量処理部２２は、電力消費の抑制期間を示す通知を上位管理装置１０２から受信する。
【０１２２】
また、抑制可能量処理部２２は、各電力需要施設における消費電力量の基準となる基準電力消費情報Ｙ２を、上位管理装置１０２経由で電力会社サーバ１０１から受信する。この基準電力消費情報Ｙ２は、たとえば、電力会社サーバ１０１により過去のデータに基づいて算出される、需要家装置１５１における消費電力量の基準となるベースライン（以下、単に「需要家装置１５１の基準値」と称する）を示す。
【０１２３】
なお、抑制可能量処理部２２は、需要家装置１５１の基準値を示す基準電力消費情報Ｙ２を受信すると、当該基準電力消費情報Ｙ２を記憶部２１に記憶させる。
【０１２４】
また、抑制可能量処理部２２は、上位管理装置１０２から抑制期間を示す通知を受信すると、需要家装置１５１ごとに、需要家装置１５１の基準値と、過去消費電力量テーブルＴ６に示される過去の抑制期間における当該需要家装置１５１の消費電力量とに基づいて、新たに通知された抑制期間における各需要家装置１５１の抑制可能量を取得する。
【０１２５】
図９は、過去消費電力量テーブルＴ６の一例を示す図である。
【０１２６】
たとえば、抑制可能量処理部２２は、図９に示すような過去消費電力量テーブルＴ６を参照して、当該過去消費電力量テーブルＴ６に含まれる過去の抑制期間における各需要家装置１５１の消費電力量と、需要家装置１５１の基準値とに基づいて、新たに通知された抑制期間における各需要家装置１５１の抑制可能量を取得する。
【０１２７】
そして、抑制可能量処理部２２は、抑制期間における各需要家装置１５１の抑制可能量を示す抑制可能量テーブルＴ１を作成し、作成した抑制可能量テーブルＴ１を上位管理装置１０２へ送信する。
【０１２８】
なお、抑制可能量処理部２２は、抑制可能量テーブルＴ１を作成する構成に限らず、たとえば、需要家装置１５１などの他の装置により作成された抑制可能量テーブルＴ１を取得する構成であっても良い。
【０１２９】
再び図８を参照して、制御内容決定部２３は、自己の下位管理装置１０３に割り当てられた最終抑制依頼量および抑制期間を示す指示情報Ｘ１を上位管理装置１０２から受信する。そして、制御内容決定部２３は、上位管理装置１０２から当該指示情報Ｘ１を受信すると、各需要家装置１５１に対して指示する指示情報Ｘ２の内容を決定する。
【０１３０】
たとえば、記憶部２１に記憶されている過去消費電力量テーブルＴ６には、図９に示すように、過去の抑制期間における需要家装置１５１の消費電力量に加えて、さらに、過去の抑制期間における需要家装置１５１による電気機器の制御内容が含まれている。そして、制御内容決定部２３は、過去消費電力量テーブルＴ６を参照して、自己の下位管理装置１０３の管理対象である需要家装置群１６１における消費電力量が、受信した指示情報Ｘ１に示される最終抑制依頼量の分だけ削減されるように、需要家装置１５１ごとに、電気機器の制御内容を決定する。
【０１３１】
そして、制御内容決定部２３は、決定した需要家装置１５１ごとの制御内容および抑制期間を示す情報を指示部２４へ出力する。
【０１３２】
なお、抑制期間における電気機器の制御内容は他の装置が決定しても良い。たとえば、需要家装置１５１が、過去消費電力量テーブルＴ６を記憶して、当該過去消費電力量テーブルＴ６と、下位管理装置１０３から通知される最終抑制依頼量とに基づいて抑制期間における電気機器の制御内容を決定しても良い。
【０１３３】
再び図８を参照して、指示部２４は、制御内容決定部２３から受けた情報に示される抑制期間および需要家装置１５１ごとの制御内容に基づいて、当該抑制期間に当該制御内容で電気機器を制御することを指示するための指示情報Ｘ２を、当該需要家装置１５１に通知する。
【０１３４】
抑制実績量処理部２５は、抑制期間における各需要家装置１５１の消費電力量を、たとえば１時間ごとに監視する。そして、抑制実績量処理部２５は、各需要家装置１５１における消費電力量を示す消費電力量テーブルＴ３を作成する。そして、抑制実績量処理部２５は、作成した消費電力量テーブルＴ３を上位管理装置１０２へ送信する。
【０１３５】
また、抑制実績量処理部２５は、記憶部２１に記憶されている基準電力消費情報Ｙ２に示される需要家装置１５１の基準値と、消費電力量テーブルＴ３に示される抑制期間における各需要家装置１５１の消費電力量との差を算出することにより、各需要家装置１５１における抑制実績量を取得する。そして、抑制実績量処理部２５は、各需要家装置１５１における抑制実績量を示す抑制実績量テーブルＴ７を作成する。
【０１３６】
図１０は、抑制実績量テーブルＴ７の一例を示す図である。
【０１３７】
たとえば、抑制実績量処理部２５は、図１０に示すような、各需要家装置１５１における抑制実績量を示す抑制実績量テーブルＴ７を作成する。そして、抑制実績量処理部２５は、作成した抑制実績量テーブルＴ７を分配部２６に出力する。
【０１３８】
なお、抑制実績量処理部２５は、消費電力量テーブルＴ３および抑制実績量テーブルＴ７を作成する構成に限らず、たとえば他の装置により作成された消費電力量テーブルＴ３および抑制実績量テーブルＴ７を取得する構成であっても良い。
【０１３９】
再び図８を参照して、分配部２６は、インセンティブとしての対価の額を示す情報を上位管理装置１０２から受信する。そして、分配部２６は、抑制実績量処理部２５から受けた抑制実績量テーブルＴ７を参照して、受信した情報の示す対価の額を各需要家装置１５１の抑制実績量に応じて各需要家装置１５１に分配し、分配した対価の額を示す情報を、それぞれ需要家装置１５１へ送信する。
【０１４０】
（下位管理装置別抑制可能量テーブルＴ２の作成）
次に、下位管理装置別抑制可能量テーブルＴ２の作成について、具体的な数値を用いて説明する。
【０１４１】
抑制可能量テーブルＴ１には、たとえば図３に示すように、需要家装置１５１が設けられている電力需要施設が契約している電力会社（以下、「契約電力会社」とも称する）と、抑制期間における需要家装置１５１の抑制可能量との対応関係である第１対応関係が示されている。上位管理装置１０２は、このような抑制可能量テーブルＴ１を、自己の管理対象である複数の下位管理装置１０３、たとえば下位管理装置１０３Ａ，１０３Ｂからそれぞれ受信する。
【０１４２】
そして、上位管理装置１０２は、下位管理装置１０３Ａ，１０３Ｂからそれぞれ受信した抑制可能量テーブルＴ１に含まれる抑制可能量を電力会社ごとに集約し、電力会社ごとの抑制可能量の合計を算出する。
【０１４３】
たとえば、下位管理装置１０３Ａから受信した抑制可能量テーブルＴ１に含まれる抑制可能量のうち、電力会社Ａに対応づけられている抑制可能量の合計が「１００ｋＷｈ」であり、電力会社Ｂに対応づけられている抑制可能量の合計が「２００ｋＷｈ」であるとする。また、下位管理装置１０３Ｂから受信した抑制可能量テーブルＴ１に含まれる抑制可能量のうち、電力会社Ａに対応づけられている抑制可能量の合計が「１０ｋＷｈ」であり、電力会社Ｂに対応づけられている抑制可能量の合計が「１５０ｋＷｈ」であるとする。
【０１４４】
この場合、上位管理装置１０２は、たとえば図４に示すように、電力会社Ａ，Ｂについて算出したこれらの値と、下位管理装置１０３Ａ，１０３Ｂとをそれぞれ対応づけた下位管理装置別抑制可能量テーブルＴ２を作成する。
【０１４５】
（最終抑制依頼量の決定）
次に、各下位管理装置１０３に割り当てられる最終抑制依頼量の決定について、具体的な数値を用いて説明する。
【０１４６】
上位管理装置１０２は、下位管理装置別抑制可能量テーブルＴ２に基づいて、抑制期間における抑制依頼量を、下位管理装置１０３ごとの最終抑制依頼量に分割する。
【０１４７】
ここでは、電力消費管理システム２０１は、電力会社サーバ１０１として、電力会社Ａに設けられている電力会社サーバ１０１Ａと、電力会社Ｂに設けられている電力会社サーバ１０１Ｂとを備えることとする。また、電力会社サーバ１０１Ａから送信された電力管理情報に基づいて設定された抑制依頼量が抑制依頼量Ｒａであり、電力会社サーバ１０１Ｂから送信された電力管理情報に基づいて設定された抑制依頼量が抑制依頼量Ｒｂであるとする。
【０１４８】
また、上位管理装置１０２により作成された下位管理装置別抑制可能量テーブルＴ２が、図４に示す下位管理装置別抑制可能量テーブルＴ２であるとする。
【０１４９】
この場合、上位管理装置１０２は、下位管理装置別抑制可能量テーブルＴ２に含まれる抑制可能量のうち、電力会社Ａに対応づけられている抑制可能量の合計と、電力会社Ｂに対応づけられている抑制可能量の合計とをそれぞれ算出する。
【０１５０】
たとえば、上位管理装置１０２は、下位管理装置１０３Ａの抑制可能量であって電力会社Ａに対応づけられている抑制可能量「１００ｋＷｈ」と、下位管理装置１０３Ｂの抑制可能量であって電力会社Ａに対応づけられている抑制可能量「１０ｋＷｈ」との合計（＝１１０ｋＷｈ）を算出する。
【０１５１】
また、上位管理装置１０２は、下位管理装置１０３Ａの抑制可能量であって電力会社Ｂに対応づけられている抑制可能量「２００ｋＷｈ」と、下位管理装置１０３Ｂの抑制可能量であって電力会社Ｂに対応づけられている抑制可能量「１５０ｋＷｈ」との合計（＝３５０ｋＷｈ）を算出する。
【０１５２】
そして、上位管理装置１０２は、電力会社Ａに対応づけられている抑制可能量の合計（＝１１０ｋＷｈ）が抑制依頼量Ｒａより大きい場合、下位管理装置１０３Ａの抑制可能量「１００ｋＷｈ」と下位管理装置１０３Ｂの抑制可能量「１０ｋＷｈ」との比に応じて抑制依頼量Ｒａを分割し、最終抑制依頼量として下位管理装置１０３Ａ，１０３Ｂにそれぞれ割り当てる。
【０１５３】
また、上位管理装置１０２は、電力会社Ａに対応づけられている抑制可能量の合計（＝１１０ｋＷｈ）が抑制依頼量Ｒａと等しい場合、下位管理装置１０３Ａの抑制可能量「１００ｋＷｈ」を下位管理装置１０３Ａに割り当てる最終抑制依頼量とし、下位管理装置１０３Ｂの抑制可能量「１０ｋＷｈ」を下位管理装置１０３Ｂに割り当てる最終抑制依頼量とする。
【０１５４】
また、上位管理装置１０２は、電力会社Ａに対応づけられている抑制可能量の合計（＝１１０ｋＷｈ）が抑制依頼量Ｒａより小さい場合、下位管理装置１０３Ａ，１０３Ｂに指示情報Ｘ１の通知を行わないことを決定する。
【０１５５】
なお、上位管理装置１０２は、電力会社Ａに対応づけられている抑制可能量の合計（＝１１０ｋＷｈ）が抑制依頼量Ｒａより小さい場合、下位管理装置１０３Ａ，１０３Ｂに指示情報Ｘ１の通知を行わないことを決定する構成に限らず、たとえば、下位管理装置１０３Ａ，１０３Ｂのそれぞれの抑制可能量の分だけ消費電力量を抑制することを指示するための指示情報Ｘ１の通知を行う構成であっても良い。具体的には、上位管理装置１０２は、下位管理装置１０３Ａの抑制可能量「１００ｋＷｈ」を下位管理装置１０３Ａに割り当てる最終抑制依頼量とし、下位管理装置１０３Ｂの抑制可能量「１０ｋＷｈ」を下位管理装置１０３Ｂに割り当てる最終抑制依頼量としても良い。
【０１５６】
また、上位管理装置１０２は、電力会社Ｂに対応づけられている抑制可能量の合計（＝３５０ｋＷｈ）が抑制依頼量Ｒｂより大きい場合、下位管理装置１０３Ａの抑制可能量「２００ｋＷｈ」と下位管理装置１０３Ｂの抑制可能量「１５０ｋＷｈ」との比に応じて抑制依頼量Ｒｂを分割し、最終抑制依頼量として下位管理装置１０３Ａ，１０３Ｂにそれぞれ割り当てる。
【０１５７】
また、上位管理装置１０２は、電力会社Ｂに対応づけられている抑制可能量の合計（＝３５０ｋＷｈ）が抑制依頼量Ｒｂと等しい場合、下位管理装置１０３Ａの抑制可能量「２００ｋＷｈ」を下位管理装置１０３Ａに割り当てる最終抑制依頼量とし、下位管理装置１０３Ｂの抑制可能量「１５０ｋＷｈ」を下位管理装置１０３Ｂに割り当てる最終抑制依頼量とする。
【０１５８】
また、上位管理装置１０２は、電力会社Ｂに対応づけられている抑制可能量の合計（＝３５０ｋＷｈ）が抑制依頼量Ｒｂより小さい場合、下位管理装置１０３Ａ，１０３Ｂに指示情報Ｘ１の通知を行わないことを決定する。
【０１５９】
なお、上位管理装置１０２は、電力会社Ｂに対応づけられている抑制可能量の合計（＝３５０ｋＷｈ）が抑制依頼量Ｒｂより小さい場合、下位管理装置１０３Ａ，１０３Ｂに指示情報Ｘ１の通知を行わないことを決定する構成に限らず、たとえば、下位管理装置１０３Ａ，１０３Ｂのそれぞれの抑制可能量の分だけ消費電力量を抑制することを指示するための指示情報Ｘ１の通知を行う構成であっても良い。具体的には、上位管理装置１０２は、下位管理装置１０３Ａの抑制可能量「２００ｋＷｈ」を下位管理装置１０３Ａに割り当てる最終抑制依頼量とし、下位管理装置１０３Ｂの抑制可能量「１５０ｋＷｈ」を下位管理装置１０３Ｂに割り当てる最終抑制依頼量としても良い。
【０１６０】
（下位管理装置別消費電力量テーブルＴ４の作成および下位管理装置別抑制実績量テーブルＴ５の作成）
次に、下位管理装置別消費電力量テーブルＴ４の作成、および下位管理装置別抑制実績量テーブルＴ５の作成について、具体的な数値を用いて説明する。
【０１６１】
消費電力量テーブルＴ３には、たとえば図５に示すように、需要家装置１５１が設けられている電力需要施設の契約電力会社と、抑制期間における需要家装置１５１の消費電力量とが対応づけて登録されている。上位管理装置１０２は、このような消費電力量テーブルＴ３を、自己の管理対象である複数の下位管理装置１０３、たとえば下位管理装置１０３Ａ，１０３Ｂからそれぞれ受信する。
【０１６２】
そして、上位管理装置１０２は、下位管理装置１０３Ａ，１０３Ｂからそれぞれ受信した消費電力量テーブルＴ３に含まれる消費電力量を電力会社ごとに集約し、電力会社ごとの消費電力量の合計を算出する。
【０１６３】
たとえば、下位管理装置１０３Ａから受信した消費電力量テーブルＴ３に含まれる消費電力量のうち、電力会社Ａに対応づけられている消費電力量の合計が「１０００ｋＷｈ」であり、電力会社Ｂに対応づけられている消費電力量の合計が「２０００ｋＷｈ」であるとする。また、下位管理装置１０３Ｂから受信した消費電力量テーブルＴ３に含まれる消費電力量のうち、電力会社Ａに対応づけられている消費電力量の合計が「１００ｋＷｈ」であり、電力会社Ｂに対応づけられている消費電力量の合計が「１５００ｋＷｈ」であるとする。
【０１６４】
この場合、上位管理装置１０２は、たとえば図６に示すように、電力会社Ａ，Ｂについて算出したこれらの値と、下位管理装置１０３Ａ，１０３Ｂとをそれぞれ対応づけた下位管理装置別消費電力量テーブルＴ４を作成する。
【０１６５】
また、上位管理装置１０２は、たとえば、下位管理装置１０３Ａの管理対象である需要家装置群１６１における消費電力量の基準値、および、下位管理装置１０３Ｂの管理対象である需要家装置群１６１における消費電力量の基準値を示す基準電力消費情報Ｙ１を、電力会社Ａに設けられている電力会社サーバ１０１Ａから受信する。
【０１６６】
そして、上位管理装置１０２は、受信した基準電力消費情報Ｙ１および作成した下位管理装置別消費電力量テーブルＴ４に基づいて、電力会社Ａから供給された電力量に関する、下位管理装置１０３Ａ，１０３Ｂにおける抑制実績量をそれぞれ算出する。
【０１６７】
たとえば、下位管理装置１０３Ａの管理対象である需要家装置群１６１における消費電力量の基準値が「１１００ｋＷｈ」であり、下位管理装置１０３Ｂの管理対象である需要家装置群１６１における消費電力量の基準値が「１５０ｋＷｈ」であるとする。この場合、図７に示す下位管理装置別抑制実績量テーブルＴ５のように、電力会社Ａから供給される電力量について、下位管理装置１０３Ａにおける抑制実績量は「１００ｋＷｈ（＝１１００ｋＷｈ−１０００ｋＷｈ）」となり、下位管理装置１０３Ｂにおける抑制実績量は「５０ｋＷｈ（＝１５０ｋＷｈ−１００ｋＷｈ）」となる。
【０１６８】
また、上位管理装置１０２は、たとえば、下位管理装置１０３Ａの管理対象である需要家装置群１６１における消費電力量の基準値、および、下位管理装置１０３Ｂの管理対象である需要家装置群１６１における消費電力量の基準値を示す基準電力消費情報Ｙ１を、電力会社Ｂに設けられている電力会社サーバ１０１Ｂから受信する。
【０１６９】
そして、上位管理装置１０２は、受信した基準電力消費情報Ｙ１および作成した下位管理装置別消費電力量テーブルＴ４に基づいて、電力会社Ｂから供給された電力量に関する、下位管理装置１０３Ａ，１０３Ｂにおける抑制実績量をそれぞれ算出する。
【０１７０】
たとえば、下位管理装置１０３Ａの管理対象である需要家装置群１６１における消費電力量の基準値が「２２００ｋＷｈ」であり、下位管理装置１０３Ｂの管理対象である需要家装置群１６１における消費電力量の基準値が「１６５０ｋＷｈ」であるとする。この場合、図７に示す下位管理装置別抑制実績量テーブルＴ５のように、電力会社Ｂから供給される電力量について、下位管理装置１０３Ａにおける抑制実績量は「２００ｋＷｈ（＝２２００ｋＷｈ−２０００ｋＷｈ）」となり、下位管理装置１０３Ｂにおける抑制実績量は「１５０ｋＷｈ（＝１６５０ｋＷｈ−１５００ｋＷｈ）」となる。
【０１７１】
そして、上位管理装置１０２は、下位管理装置別抑制実績量テーブルＴ５に示される抑制実績量のうち、電力会社Ａに対応する抑制実績量の合計を示す情報を、電力会社サーバ１０１Ａへ送信する。また、上位管理装置１０２は、下位管理装置別抑制実績量テーブルＴ５に示される抑制実績量のうち、電力会社Ｂに対応する抑制実績量の合計を示す情報を、電力会社サーバ１０１Ｂへ送信する。
【０１７２】
（抑制実績量テーブルＴ７の作成）
次に、抑制実績量テーブルＴ７の作成について、具体例な数値を用いて説明する。
【０１７３】
下位管理装置１０３は、抑制期間における各需要家装置１５１の消費電力量を監視することにより、たとえば図５に示す消費電力量テーブルＴ３を作成する。また、下位管理装置１０３は、需要家装置１５１の基準値を示す基準電力消費情報Ｙ２を、上位管理装置１０２経由で電力会社サーバ１０１から受信する。
【０１７４】
そして、下位管理装置１０３は、受信した基準電力消費情報Ｙ２と、消費電力量テーブルＴ３とに基づいて、需要家装置１５１が設けられている電力需要施設の契約電力会社と、抑制期間における需要家装置１５１の抑制実績量との対応関係である第２対応関係を示す抑制実績量テーブルＴ７を作成する。
【０１７５】
たとえば、需要家装置１５１の基準値が「７０ｋＷｈ」である場合、図１０に示すように、需要家装置１５１Ａにおける抑制実績量が「３０ｋＷｈ」となり、需要家装置１５１Ｂにおける抑制実績量が「５ｋＷｈ」となる。
【０１７６】
なお、下位管理装置１０３は、上記のように作成した抑制実績量テーブルＴ７を、上位管理装置１０２へ送信しても良い。
【０１７７】
この場合、たとえば、上位管理装置１０２は、下位管理装置１０３Ａ，１０３Ｂからそれぞれ受信した抑制実績量テーブルＴ７に含まれる抑制実績量を電力会社ごとに集約して、下位管理装置１０３Ａ，１０３Ｂごとの抑制実績量と、電力会社との対応関係を示す下位管理装置別抑制実績量テーブルＴ５を作成することが可能である。
【０１７８】
（抑制可能量テーブルＴ１の作成）
次に、抑制可能量テーブルＴ１の作成について、具体例な数値を用いて説明する。
【０１７９】
ここでは、下位管理装置１０３は、過去消費電力量テーブルＴ６に加えて、さらに、各電力需要施設において行われる予定のイベントを示すイベント情報テーブルＴ８、および、各需要家装置１５１が設けられている電力需要施設の契約電力会社を示す契約電力会社情報テーブルＴ９を記憶する。
【０１８０】
過去消費電力量テーブルＴ６には、たとえば図９に示すように、自己の下位管理装置１０３が過去に指示情報Ｘ２を通知した需要家装置１５１Ａ，１５１Ｂと、当該指示情報Ｘ２に示される抑制期間と、当該抑制期間の需要家装置１５１Ａ，１５１Ｂにおける消費電力量と、当該抑制期間における需要家装置１５１Ａ，１５１Ｂによる電気機器の制御内容と、当該抑制期間の気象情報と、当該抑制期間のイベント情報とを対応づけた複数のエントリが含まれている。
【０１８１】
図１１は、イベント情報テーブルＴ８の一例を示す図である。
【０１８２】
また、イベント情報テーブルＴ８には、たとえば図１１に示すように、需要家装置１５１Ａが設けられている電力需要施設において行われる予定のイベント、および、需要家装置１５１Ｂが設けられている電力需要施設において行われる予定のイベントが含まれている。
【０１８３】
図１２は、契約電力会社情報テーブルＴ９の一例を示す図である。
【０１８４】
また、契約電力会社情報テーブルＴ９には、たとえば図１２に示すように、需要家装置１５１Ａ，１５１Ｂが設けられている電力需要施設の契約電力会社を示す情報が含まれている。
【０１８５】
下位管理装置１０３は、これら過去消費電力量テーブルＴ６、イベント情報テーブルＴ８および契約電力会社情報テーブルＴ９に基づいて、抑制可能量テーブルＴ１を作成する。
【０１８６】
具体的には、２０１３年１０月１１日の１３時〜１４時が抑制期間である場合、下位管理装置１０３は、イベント情報テーブルＴ８を参照して、２０１３年１０月１１日の１３時〜１４時において需要家装置１５１Ａが設けられている電力需要施設ではイベント「無し」であり、需要家装置１５１Ｂが設けられている電力需要施設ではイベント「全体会合」が行われる予定であることを確認する。
【０１８７】
また、下位管理装置１０３は、インターネット等を介して当該抑制期間である２０１３年１０月１１日の１３時〜１４時の気象情報、たとえば、気温「３２℃」、湿度「８０％」、天気「晴れ」を示す情報を取得する。
【０１８８】
また、下位管理装置１０３は、過去消費電力量テーブルＴ６を参照して、需要家装置１５１Ａ，１５１Ｂのそれぞれについて、過去消費電力量テーブルＴ６に含まれる複数のエントリの中から、抑制期間の気象およびイベントと同一または近似している気象およびイベントを含むエントリを１つ以上選択する。
【０１８９】
たとえば、下位管理装置１０３は、需要家装置１５１Ａについて、過去消費電力量テーブルＴ６に含まれるエントリ「Ａ１」，「Ａ２」，「Ａ３」の中から、エントリ「Ａ１」およびエントリ「Ａ２」を選択する。また、たとえば、下位管理装置１０３は、需要家装置１５１Ｂについて、過去消費電力量テーブルＴ６に含まれるエントリ「Ｂ１」，「Ｂ２」，「Ｂ３」の中から、エントリ「Ｂ１」およびエントリ「Ｂ２」を選択する。
【０１９０】
そして、下位管理装置１０３は、需要家装置１５１ごとに、選択したエントリの中から気象およびイベントが抑制期間における気象およびイベントと最も近似している１つのエントリ（以下、「最適エントリ」と称する）を選択する。
【０１９１】
すなわち、下位管理装置１０３は、抑制期間における気温を「Ｔｐｒｅｄｉｃｔ」とし、選択したエントリに含まれる気温を「Ｔｐａｓｔ」とし、抑制期間における湿度を「Ｈｐｒｅｄｉｃｔ」とし、選択したエントリに含まれる湿度を「Ｈｐａｓｔ」とすると、以下の式で表される差Ｄが最も小さくなるエントリを最適エントリとして選択する。
Ｄ＝｜Ｔｐｒｅｄｉｃｔ−Ｔｐａｓｔ｜×Ｗ１＋｜Ｈｐｒｅｄｉｃｔ−Ｈｐａｓｔ｜×Ｗ２＋Ｅｖｅｎｔ×Ｗ３
【０１９２】
なお、上記の式において、「Ｅｖｅｎｔ」は、抑制期間のイベントと、選択したエントリに含まれるイベントとが一致する場合にゼロとなり、抑制期間のイベントと、選択したエントリに含まれるイベントとが一致しない場合に正の値となる。さらに、「Ｗ１」、「Ｗ２」および「Ｗ３」は、重み付けのために用いられる定数である。
【０１９３】
たとえば、下位管理装置１０３は、エントリ「Ａ２」を最適エントリとして選択した場合、２０１３年１０月１１日の１３時〜１４時に需要家装置１５１Ａが指示情報Ｘ２の通知を受けると、需要家装置１５１Ａは空調の設定温度を１℃上昇させる制御を行う可能性が高いと推測することができる。そして、下位管理装置１０３は、需要家装置１５１Ａがこのような制御を行うことにより、需要家装置１５１Ａが設けられている電力需要施設の消費電力が「１００ｋＷｈ」となる可能性が高いことを推測することができる。
【０１９４】
また、たとえば、下位管理装置１０３は、エントリ「Ｂ２」を最適エントリとして選択した場合、２０１３年１０月１１日の１３時〜１４時において需要家装置１５１Ｂが指示情報Ｘ２の通知を受けると、需要家装置１５１Ｂは空調の設定温度を２℃上昇させる制御を行う可能性が高いと推測することができる。そして、下位管理装置１０３は、需要家装置１５１Ｂがこのような制御を行うことにより、需要家装置１５１Ｂが設けられている電力需要施設の消費電力は「５０ｋＷｈ」となる可能性が高いことを推測することができる。
【０１９５】
そして、下位管理装置１０３は、需要家装置１５１の基準値を示す基準電力消費情報Ｙ２を上位管理装置１０２経由で電力会社サーバ１０１から受信する。そして、下位管理装置１０３は、需要家装置１５１Ａ，１５１Ｂについて、受信した基準電力消費情報Ｙ２に示される需要家装置１５１の基準値と、最適エントリに含まれる消費電力との差を抑制可能量としてそれぞれ算出する。
【０１９６】
そして、下位管理装置１０３は、契約電力会社情報テーブルＴ９を参照して、需要家装置１５１Ａ，１５１Ｂのそれぞれの抑制可能量と、契約電力会社との対応関係を示す抑制可能量テーブルＴ１を作成する。
【０１９７】
このように、下位管理装置１０３が、抑制期間における気象情報およびイベント情報などの外部環境と、過去の抑制期間における需要家装置１５１の抑制実績量とに基づいて抑制可能量を算出することにより、抑制可能量を適切に把握することができ、抑制依頼量の分だけ消費電力量を削減することができるか否かを、事前に、かつ的確に判断することができる。
【０１９８】
なお、下位管理装置１０３は、ニュートラルネットワークまたは自己回帰分析などの技術を用いて、各電力需要施設における抑制期間の消費電力量を予測する構成であっても良い。そして、この場合、下位管理装置１０３は、予測した消費電力量（以下、「予測値」と称する）と、最適エントリに含まれる消費電力量との差を、抑制可能量として算出することができる。
【０１９９】
また、下位管理装置１０３は、需要家装置１５１Ａ，１５１Ｂのそれぞれについて、過去消費電力量テーブルＴ６に含まれる複数のエントリの中から、上述の式で表される差Ｄが閾値以下となる１つ以上のエントリを選択する構成であっても良い。そして、下位管理装置１０３は、差Ｄが閾値以下となるエントリが１つである場合、当該エントリを最適エントリとして選択することができる。また、下位管理装置１０３は、差Ｄが閾値以下となるエントリが２つ以上である場合、これら２つ以上のエントリの中から、算出する抑制可能量が最大となるエントリ、すなわち消費電力量が最小であるエントリを最適エントリとして選択することができる。
【０２００】
（電気機器の制御内容の決定）
次に、抑制期間における電気機器の制御内容の決定の具体例について説明する。
【０２０１】
ここでは、下位管理装置１０３は、図９に示す過去消費電力量テーブルＴ６を記憶していることとする。
【０２０２】
下位管理装置１０３は、たとえば、抑制期間である２０１３年１０月１１日の１３時〜１４時の気象情報、具体的には、気温「３２℃」、湿度「８０％」、天気「晴れ」を示す情報を取得する。また、下位管理装置１０３は、過去消費電力量テーブルＴ６を参照して、この過去消費電力量テーブルＴ６に含まれる複数のエントリの中から、需要家装置１５１ごとに、抑制期間の気象情報およびイベント情報と同一または近似している気象情報およびイベント情報を含むエントリを１つ以上選択する。
【０２０３】
また、下位管理装置１０３は、たとえば、需要家装置１５１ごとに、抑制期間における消費電力量の予測値を取得する。
【０２０４】
そして、下位管理装置１０３は、各需要家装置１５１について、取得した予測値と、選択した１または複数の各エントリに含まれる消費電力量との差を算出する。この差は、各エントリに含まれる電気機器の制御内容を実行した場合に抑制することが可能であると推定される電力量に相当する。
【０２０５】
そして、下位管理装置１０３は、各エントリについて算出した差と、上位管理装置１０２から受信した指示情報Ｘ１に示される最終抑制依頼量とに基づいて、需要家装置１５１ごとに、最適なエントリを選択する。そして、下位管理装置１０３は、各需要家装置１５１について選択したエントリに含まれる電気機器の制御内容、たとえば「空調の設定温度を１℃上昇させる」という電気機器の制御内容を、当該需要家装置１５１に通知する指示情報Ｘ２の内容として決定する。
【０２０６】
（需要家装置の基準値の算出）
次に、需要家装置１５１の基準値の算出の具体例について説明する。
【０２０７】
図１３は、基準値算出用テーブルＴ１０の一例を示す図である。
【０２０８】
図１３を参照して、電力会社サーバ１０１は、電力消費管理システム２０１に含まれる複数の需要家装置１５１における過去の消費電力量をたとえば１時間ごとに計測し、計測した値を基準値算出用テーブルＴ１０に登録する。
【０２０９】
たとえば、基準値算出用テーブルＴ１０には、２０１３年の１０月６日、１０月７日、１０月８日、１０月９日、１０月１０日のそれぞれにおいて、１３時〜１４時における需要家装置１５１の消費電力量が、１００ｋＷｈ、９０ｋＷｈ、９５ｋＷｈ、１２０ｋＷｈ、１００ｋＷｈであることが登録されている。
【０２１０】
また、基準値算出用テーブルＴ１０には、２０１３年の１０月６日、１０月７日、１０月８日、１０月９日、１０月１０日のそれぞれにおいて、需要家装置１５１の消費電力量の１日の合計が、１２００ｋＷｈ、９５０ｋＷｈ、１１００ｋＷｈ、１５００ｋＷｈ、１１００ｋＷｈであることが登録されている。
【０２１１】
電力会社サーバ１０１は、たとえば、電力需給の逼迫が予測される対象日の直前５日間のデータに基づいて、当該対象日における需要家装置１５１の基準値を算出する。すなわち、電力会社サーバ１０１は、２０１３年１０月１１日の１３時〜１４時に電力需給が逼迫することが予測されているとすると、２０１３年の１０月６日から１０月１０日までの５日間のデータに基づいて、２０１３年１０月１１日の１３時〜１４時における需要家装置１５１の基準値を算出する。
【０２１２】
具体的には、電力会社サーバ１０１は、２０１３年の１０月６日から１０月１０日までのそれぞれの日について、１３時〜１４時における需要家装置１５１の消費電力量、すなわち１０月６日の「１００ｋＷｈ」、１０月７日の「９０ｋＷｈ」、１０月８日の「９５ｋＷｈ」、１０月９日の「１２０ｋＷｈ」および１０月１０日の「１００ｋＷｈ」を抽出し、抽出したこれらの値の平均（＝（１００＋９０＋９５＋１２０＋１００）／５＝１０１ｋＷｈ）を算出する。そして、電力会社サーバ１０１は、算出したこの値を、２０１３年１０月１１日の１３時〜１４時における需要家装置１５１の基準値とする。
【０２１３】
このように、電力会社サーバ１０１は、過去のデータに基づいて、抑制期間における需要家装置１５１の消費電力量の基準値を算出し、算出した需要家装置１５１の基準値を示す基準電力消費情報Ｙ１を上位管理装置１０２へ送信する。
【０２１４】
なお、電力会社サーバ１０１は、電力消費管理システム２０１に含まれる全ての需要家装置１５１における消費電力量に基づいて需要家装置１５１の基準値を算出しても良いし、電力消費管理システム２０１に含まれる需要家装置１５１のうちの一部の需要家装置１５１における消費電力量に基づいて需要家装置１５１の基準値を算出しても良い。
【０２１５】
また、電力会社サーバ１０１は、上記のような算出方法に限らず、他の算出方法を用いて需要家装置１５１の基準値を算出しても良い。
【０２１６】
たとえば、電力会社サーバ１０１は、電力需給の逼迫が予測される対象日の直前５日間のうち、需要家装置１５１の消費電力量の１日の合計が最も大きい日を特定する。そして、電力需給の逼迫が予測される時間帯が１３時〜１４時であるとすると、電力会社サーバ１０１は、特定した日の１３時〜１４時における需要家装置１５１の消費電力量を、対象日の１３時〜１４時における需要家装置１５１の基準値とすることができる。
【０２１７】
また、他の算出方法として、たとえば、電力会社サーバ１０１は、電力需給の逼迫が予測される対象日の直前５日間のうち、時間毎の電力消費量の分散が最も大きい１日を除外する。そして、電力需給の逼迫が予測される時間帯が１３時〜１４時であるとすると、電力会社サーバ１０１は、残りの４日間を対象として、１３時〜１４時における需要家装置１５１の電力消費量の平均を算出する。そして、電力会社サーバ１０１は、算出した値を対象日の１３時〜１４時における需要家装置１５１の基準値とすることができる。
【０２１８】
また、電力会社サーバ１０１が需要家装置１５１の基準値を算出する構成に限らず、たとえば上位管理装置１０２または下位管理装置１０３が上記のような各種算出方法を用いて需要家装置１５１の基準値を算出する構成であっても良い。
【０２１９】
（需要家装置群の基準値の算出）
次に、需要家装置群１６１の基準値の算出の具体例について説明する。
【０２２０】
電力会社サーバ１０１は、需要家装置群１６１の消費電力量をたとえば１時間ごとに計測して記憶する。そして、電力会社サーバ１０１は、たとえば上述した需要家装置１５１の基準値の算出と同様の方法を用いて、抑制期間における需要家装置群１６１の基準値を算出し、算出した需要家装置群１６１の基準値を示す基準電力消費情報Ｙ１上位管理装置１０２へ送信する。
【０２２１】
なお、電力会社サーバ１０１が需要家装置群１６１の基準値を算出する構成に限らず、たとえば上位管理装置１０２または下位管理装置１０３が上記のような各種算出方法を用いて需要家装置群１６１の基準値を算出する構成であっても良い。
【０２２２】
［動作の流れ］
次に、本発明の実施の形態に係る電力消費管理システム２０１の動作の流れについて説明する。
【０２２３】
電力消費管理システム２０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０２２４】
（指示情報Ｘ１および指示情報Ｘ２の通知処理）
図１４は、本発明の実施の形態に係る電力消費管理システムによる指示情報Ｘ１および指示情報Ｘ２の通知処理における動作手順（その１）を示すシーケンス図である。図１５は、図１４に示すシーケンス図のつづきである電力消費管理システムによる指示情報Ｘ１および指示情報Ｘ２の通知処理における動作手順（その２）を示すシーケンス図である。
【０２２５】
ここでは、電力会社Ａに設けられている電力会社サーバ１０１Ａが、電力管理情報を送信する場合について説明する。また、下位管理装置１０３Ａおよび下位管理装置１０３Ｂが、上位管理装置１０２の管理対象であるとする。また、需要家装置１５１Ａおよび需要家装置１５１Ｂが、下位管理装置１０３Ａの管理対象であり、需要家装置１５１Ｃおよび需要家装置１５１Ｄが、下位管理装置１０３Ｂの管理対象であるとする。
【０２２６】
図１４および図１５を参照して、まず、電力会社サーバ１０１Ａは、たとえば電力需給の逼迫が予測される期間を示す電力管理情報を上位管理装置１０２へ送信する（ステップＳ１１）。
【０２２７】
次に、上位管理装置１０２は、電力管理情報に基づいて、電力需給の逼迫が予測される期間である抑制期間および抑制依頼量Ｒａを設定する（ステップＳ１２）。そして、上位管理装置１０２は、設定した抑制期間を示す情報を下位管理装置１０３Ａおよび下位管理装置１０３Ｂにそれぞれ送信する（ステップＳ１３およびステップＳ１４）。
【０２２８】
次に、下位管理装置１０３Ａは、上位管理装置１０２から抑制期間を示す情報を受信すると、需要家装置１５１Ａおよび需要家装置１５１Ｂについて、それぞれ抑制可能量を算出する。
【０２２９】
そして、下位管理装置１０３Ａは、需要家装置１５１Ａについて算出した抑制可能量と、需要家装置１５１Ａが設けられている電力需要施設の契約電力会社とを対応づけ、かつ、需要家装置１５１Ｂについて算出した抑制可能量と、需要家装置１５１Ｂが設けられている電力需要施設の契約電力会社とを対応づけた抑制可能量テーブルＴ１を作成する（ステップＳ１５）。そして、下位管理装置１０３Ａは、作成した抑制可能量テーブルＴ１を上位管理装置１０２へ送信する（ステップＳ１６）。
【０２３０】
また、下位管理装置１０３Ｂは、上位管理装置１０２から抑制期間を示す情報を受信すると、需要家装置１５１Ｃおよび需要家装置１５１Ｄについて、それぞれ抑制可能量を算出する。
【０２３１】
そして、下位管理装置１０３Ｂは、需要家装置１５１Ｃについて算出した抑制可能量と、需要家装置１５１Ｃが設けられている電力需要施設の契約電力会社とを対応づけ、かつ、需要家装置１５１Ｄについて算出した抑制可能量と、需要家装置１５１Ｄが設けられている電力需要施設の契約電力会社とを対応づけた抑制可能量テーブルＴ１を作成する（ステップＳ１７）。そして、下位管理装置１０３Ｂは、作成した抑制可能量テーブルＴ１を上位管理装置１０２へ送信する（ステップＳ１８）。
【０２３２】
次に、上位管理装置１０２は、下位管理装置１０３Ａおよび下位管理装置１０３Ｂからそれぞれ受信した抑制可能量テーブルＴ１に基づいて、下位管理装置１０３Ａの管理対象である需要家装置群１６１における抑制可能量と、下位管理装置１０３Ｂの管理対象である需要家装置群１６１における抑制可能量と、電力会社との対応関係を示す下位管理装置別抑制可能量テーブルＴ２を作成する（ステップＳ１９）。
【０２３３】
次に、上位管理装置１０２は、作成した下位管理装置別抑制可能量テーブルＴ２に基づいて、下位管理装置１０３Ａ，１０３Ｂに対して指示情報Ｘ１の通知を行うか否かを決定する（ステップＳ２０）。
【０２３４】
たとえば、上位管理装置１０２は、下位管理装置別抑制可能量テーブルＴ２に含まれる抑制可能量のうち、電力会社Ａに対応づけられている抑制可能量の合計が抑制依頼量Ｒａより小さい場合、下位管理装置１０３Ａ，１０３Ｂに対して指示情報Ｘ１の通知を行わないことを決定する。そして、上位管理装置１０２は、指示情報Ｘ１の通知を行わないことを決定した場合（ステップＳ２０において「Ｎｏ」）、指示情報Ｘ１の通知を行わないことを示す情報を電力会社サーバ１０１Ａへ送信する（ステップＳ２１）。
【０２３５】
一方、上位管理装置１０２は、たとえば、下位管理装置別抑制可能量テーブルＴ２に含まれる抑制可能量のうち、電力会社Ａに対応づけられている抑制可能量の合計が抑制依頼量Ｒａ以上である場合、下位管理装置１０３Ａ，１０３Ｂに対して指示情報Ｘ１の通知を行うことを決定する。そして、上位管理装置１０２は、指示情報Ｘ１の通知を行うことを決定した場合（ステップＳ２０において「Ｙｅｓ」）、作成した下位管理装置別抑制可能量テーブルＴ２に基づいて、下位管理装置１０３Ａ，１０３Ｂごとに、指示情報Ｘ１に含める最終抑制依頼量を決定する（ステップＳ２２）。
【０２３６】
なお、上位管理装置１０２は、電力会社サーバ１０１Ａに加えて、さらに、電力会社Ｂに設けられている電力会社サーバ１０１Ｂから電力管理情報を受信した場合、電力会社サーバ１０１Ｂから受信した電力管理情報に基づいて抑制依頼量Ｒｂを設定する。
【０２３７】
この場合、上位管理装置１０２は、下位管理装置別抑制可能量テーブルＴ２に含まれる抑制可能量のうち電力会社Ｂに対応づけられている抑制可能量の合計と、抑制依頼量Ｒｂとに基づいて、下位管理装置１０３Ａ，１０３Ｂに対して指示情報Ｘ１の通知を行うか否かを決定する。また、上位管理装置１０２は、指示情報Ｘ１の通知を行うと決定した場合、下位管理装置別抑制可能量テーブルＴ２に含まれる抑制可能量のうち電力会社Ｂに対応づけられている抑制可能量の合計と、抑制依頼量Ｒｂとに基づいて、下位管理装置１０３Ａ，１０３Ｂごとに、指示情報Ｘ１に含める最終抑制依頼量を決定する。
【０２３８】
次に、上位管理装置１０２は、下位管理装置１０３Ａに対して決定した最終抑制依頼量と抑制期間とを示す指示情報Ｘ１を下位管理装置１０３Ａへ送信する（ステップＳ２３）。また、上位管理装置１０２は、下位管理装置１０３Ｂに対して決定した最終抑制依頼量と抑制期間とを示す指示情報Ｘ１を下位管理装置１０３Ｂへ送信する（ステップＳ２４）。
【０２３９】
次に、下位管理装置１０３Ａは、上位管理装置１０２から指示情報Ｘ１を受信すると、過去消費電力量テーブルＴ６を参照して、需要家装置１５１Ａおよび需要家装置１５１Ｂについて、それぞれ、過去消費電力量テーブルＴ６に含まれる複数のエントリの中から最適なエントリを選択する。
【０２４０】
そして、下位管理装置１０３Ａは、需要家装置１５１Ａについて選択したエントリに含まれる電気機器の制御内容を、需要家装置１５１Ａに通知する指示情報Ｘ２の内容として決定する。また、下位管理装置１０３Ａは、需要家装置１５１Ｂについて選択したエントリに含まれる電気機器の制御内容を、需要家装置１５１Ｂに通知する指示情報Ｘ２の内容として決定する（ステップＳ２５）。
【０２４１】
次に、下位管理装置１０３Ａは、需要家装置１５１Ａに対して決定した電気機器の制御内容を示す指示情報Ｘ２を需要家装置１５１Ａへ通知する（ステップＳ２６）。また、下位管理装置１０３Ａは、需要家装置１５１Ｂに対して決定した電気機器の制御内容を示す指示情報Ｘ２を需要家装置１５１Ｂへ通知する（ステップＳ２７）。
【０２４２】
また、下位管理装置１０３Ｂは、上位管理装置１０２から指示情報Ｘ１を受信すると、過去消費電力量テーブルＴ６を参照して、需要家装置１５１Ｃおよび需要家装置１５１Ｄについて、それぞれ、過去消費電力量テーブルＴ６に含まれる複数のエントリの中から最適なエントリを選択する。
【０２４３】
そして、下位管理装置１０３Ｂは、需要家装置１５１Ｃについて選択したエントリに含まれる電気機器の制御内容を、需要家装置１５１Ｃに通知する指示情報Ｘ２の内容として決定する。また、下位管理装置１０３Ｂは、需要家装置１５１Ｄについて選択したエントリに含まれる電気機器の制御内容を、需要家装置１５１Ｄに通知する指示情報Ｘ２の内容として決定する（ステップＳ２８）。
【０２４４】
次に、下位管理装置１０３Ｂは、需要家装置１５１Ｃに対して決定した電気機器の制御内容を示す指示情報Ｘ２を需要家装置１５１Ｃへ通知する（ステップＳ２９）。また、下位管理装置１０３Ｂは、需要家装置１５１Ｄに対して決定した電気機器の制御内容を示す指示情報Ｘ２を需要家装置１５１Ｄへ通知する（ステップＳ３０）。
【０２４５】
次に、需要家装置１５１Ａ，１５１Ｂ，１５１Ｃ，１５１Ｄは、それぞれ、通知された指示情報Ｘ２に示される制御内容に従って、自己が設けられている電力需要施設における電気機器の動作を制御する（ステップＳ３１）。
【０２４６】
（抑制実績量の通知処理）
図１６は、本発明の実施の形態に係る電力消費管理システムによる抑制実績量の通知処理における動作手順を示すシーケンス図である。
【０２４７】
図１６を参照して、まず、下位管理装置１０３Ａは、抑制期間における消費電力量を示す情報を、需要家装置１５１Ａ，１５１Ｂからそれぞれ受信する（ステップＳ４１およびステップＳ４２）。
【０２４８】
次に、下位管理装置１０３Ａは、需要家装置１５１Ａから受信した消費電力量を示す情報と、需要家装置１５１Ａが設けられている電力需要施設の契約電力会社とを対応づけ、かつ、需要家装置１５１Ｂから受信した消費電力量を示す情報と、需要家装置１５１Ｂが設けられている電力需要施設の契約電力会社とを対応づけた消費電力量テーブルＴ３を作成する（ステップＳ４３）。
【０２４９】
次に、下位管理装置１０３Ａは、基準消費電力情報Ｙ２に示される需要家装置１５１の基準値と、消費電力量テーブルＴ３に示される需要家装置１５１Ａの消費電力量との差を、需要家装置１５１Ａの抑制実績量として算出する。また、下位管理装置１０３Ａは、基準消費電力情報Ｙ２に示される需要家装置１５１の基準値と、消費電力量テーブルＴ３に示される需要家装置１５１Ｂの消費電力量との差を、需要家装置１５１Ｂの抑制実績量として算出する。
【０２５０】
そして、下位管理装置１０３Ａは、需要家装置１５１Ａの抑制実績量と、需要家装置１５１Ｂの抑制実績量と、電力会社とを対応づけた抑制実績量テーブルＴ７を作成する（ステップＳ４４）。
【０２５１】
次に、下位管理装置１０３Ａは、作成した消費電力量テーブルＴ３を上位管理装置１０２へ送信する（ステップＳ４５）。
【０２５２】
また、下位管理装置１０３Ｂは、抑制期間における消費電力量を示す情報を、需要家装置１５１Ｃ，１５１Ｄからそれぞれ受信する（ステップＳ４６およびステップＳ４７）。
【０２５３】
次に、下位管理装置１０３Ｂは、需要家装置１５１Ｃから受信した消費電力量を示す情報と、需要家装置１５１Ｃが設けられている電力需要施設の契約電力会社とを対応づけ、かつ、需要家装置１５１Ｄから受信した消費電力量を示す情報と、需要家装置１５１Ｄが設けられている電力需要施設の契約電力会社とを対応づけた消費電力量テーブルＴ３を作成する（ステップＳ４８）。
【０２５４】
次に、下位管理装置１０３Ｂは、基準消費電力情報Ｙ２に示される需要家装置１５１の基準値と、消費電力量テーブルＴ３に示される需要家装置１５１Ｃの消費電力量との差を、需要家装置１５１Ｃの抑制実績量として算出する。また、下位管理装置１０３Ｂは、基準消費電力情報Ｙ２に示される需要家装置１５１の基準値と、消費電力量テーブルＴ３に示される需要家装置１５１Ｄの消費電力量との差を、需要家装置１５１Ｄの抑制実績量として算出する。
【０２５５】
そして、下位管理装置１０３Ｂは、需要家装置１５１Ｃの抑制実績量と、需要家装置１５１Ｄの抑制実績量と、電力会社とを対応づけた抑制実績量テーブルＴ７を作成する（ステップＳ４９）。
【０２５６】
次に、下位管理装置１０３Ｂは、作成した消費電力量テーブルＴ３を上位管理装置１０２へ送信する（ステップＳ５０）。
【０２５７】
次に、上位管理装置１０２は、下位管理装置１０３Ａおよび下位管理装置１０３Ｂからそれぞれ受信した消費電力量テーブルＴ３に基づいて、下位管理装置１０３Ａの管理対象である需要家装置群１６１における消費電力量と、下位管理装置１０３Ｂの管理対象である需要家装置群１６１における消費電力量と、電力会社との対応関係を示す下位管理装置別消費電力量テーブルＴ４を作成する（ステップＳ５１）。
【０２５８】
次に、上位管理装置１０２は、各需要家装置群１６１について、基準電力消費情報Ｙ１に示される需要家装置群１６１の基準値と、下位管理装置別消費電力量テーブルＴ４に示される当該需要家装置群１６１における消費電力量との差を、当該需要家装置群１６１における抑制実績量として算出する。そして、上位管理装置１０２は、各需要家装置群１６１の抑制実績量と、電力会社との対応関係を示す下位管理装置別抑制実績量テーブルＴ５を作成する（ステップＳ５２）。
【０２５９】
次に、上位管理装置１０２は、作成した下位管理装置別抑制実績量テーブルＴ５に含まれる抑制実績量のうち電力会社１０１Ａに対応づけられている抑制実績量の合計を算出する。そして、上位管理装置１０２は、算出した抑制実績量の合計を電力会社サーバ１０１Ａに通知する（ステップＳ５３）。
【０２６０】
なお、電力会社サーバ１０１Ａに加えて、さらに電力会社サーバ１０１Ｂから電力管理情報を受信した場合、上位管理装置１０２は、下位管理装置別抑制実績量テーブルＴ５に含まれる抑制実績量のうち電力会社１０１Ｂに対応づけられている抑制実績量の合計を電力会社サーバ１０１Ｂに通知する。
【０２６１】
（対価の額の分配処理）
図１７は、本発明の実施の形態に係る電力消費管理システムによる対価の額の分配処理における動作手順を示すシーケンス図である。
【０２６２】
図１７を参照して、まず、電力会社サーバ１０１Ａは、上位管理装置１０２から通知された抑制実績量の合計に応じて、インセンティブとしての対価の額を示す情報を上位管理装置１０２へ送信する（ステップＳ６１）。
【０２６３】
次に、上位管理装置１０２は、下位管理装置別抑制実績量テーブルＴ５に基づいて、電力会社サーバ１０１Ａから受信した情報の示す対価の額を、たとえば、各需要家装置群１６１における抑制実績量の比に応じて下位管理装置１０３Ａ，１０３Ｂに分配する（ステップＳ６２）。
【０２６４】
次に、上位管理装置１０２は、下位管理装置１０３Ａに分配する対価の額を示す情報を下位管理装置１０３Ａに送信する（ステップＳ６３）。次に、上位管理装置１０２は、下位管理装置１０３Ｂに分配する対価の額を示す情報を下位管理装置１０３Ｂに送信する（ステップＳ６４）。
【０２６５】
次に、下位管理装置１０３Ａは、抑制実績量テーブルＴ７に基づいて、上位管理装置１０２から受信した情報の示す対価の額を、たとえば、電力会社Ａに対応づけられている需要家装置１５１Ａ，１５１Ｂにおける抑制実績量の比に応じて需要家装置１５１Ａ，１５１Ｂに分配する（ステップＳ６５）。
【０２６６】
次に、下位管理装置１０３Ａは、需要家装置１５１Ａに分配する対価の額を示す情報を需要家装置１５１Ａに送信する（ステップＳ６６）。次に、下位管理装置１０３Ａは、需要家装置１５１Ｂに分配する対価の額を示す情報を需要家装置１５１Ｂに送信する（ステップＳ６７）。
【０２６７】
次に、下位管理装置１０３Ｂは、抑制実績量テーブルＴ７に基づいて、上位管理装置１０２から受信した情報の示す対価の額を、たとえば、電力会社Ａに対応づけられている需要家装置１５１Ｃ，１５１Ｄにおける抑制実績量の比に応じて需要家装置１５１Ｃ，１５１Ｄに分配する（ステップＳ６８）。
【０２６８】
次に、下位管理装置１０３Ｂは、需要家装置１５１Ｃに分配する対価の額を示す情報を需要家装置１５１Ｃに送信する（ステップＳ６９）。次に、下位管理装置１０３Ｂは、需要家装置１５１Ｄに分配する対価の額を示す情報を需要家装置１５１Ｄに送信する（ステップＳ７０）。
【０２６９】
ところで、節電を目的として、ＢＥＭＳアグリゲータと呼ばれる事業者等によりビル等へのＢＥＭＳの導入が行われている。ＢＥＭＳアグリゲータは、集中管理システムを設置し、ＢＥＭＳを導入したビル等に対してエネルギー管理支援サービスを行う。
【０２７０】
電力会社は、多くのビル等にＢＥＭＳが導入されることにより、電力需要の調整を行わせることが容易となる。たとえば、電力会社は、電力需給の逼迫が予測される場合に、ＢＥＭＳアグリゲータに対して予め節電要請を行う。そして、ＢＥＭＳアグリゲータは、各ビルの需要家に対して節電要請を行うとともに、たとえば、各ビルの空調および照明等を制御して電力の消費を抑制する。
【０２７１】
しかしながら、ＢＥＭＳアグリゲータにより管理される各電力需要施設において契約している電力会社が異なることがあり、複数の異なる電力会社がそれぞれ節電要請を行う場合、電力需要の調整が複雑になり各電力需要施設における電力消費の適切な制御が困難になることがある。
【０２７２】
これに対して、本発明の実施の形態に係る電力消費管理システム２０１における上位管理装置１０２は、電力需要施設における電力消費を抑制可能な複数の下位管理装置１０３を介して電力消費を管理する。また、上位管理装置１０２では、管理情報取得部１１が、複数の電力供給側から電力消費に関する電力管理情報を取得可能である。また、抑制可能量処理部１３が、電力需要施設における電力消費の抑制能力と電力需要施設に電力を供給する電力供給側との対応関係である第１対応関係について、下位管理装置１０３ごとの第１対応関係を示す下位管理装置別抑制可能量テーブルＴ２を取得する。また、指示部１２が、電力管理情報および下位管理装置別抑制可能量テーブルＴ２に基づいて、対応の電力需要施設の電力消費の内容を指示するための指示情報Ｘ１を下位管理装置１０３に通知する。
【０２７３】
このような構成により、上位管理装置１０２が、各電力需要施設における電力消費の節電能力と、電力供給側から送信される電力管理情報との双方を集中して管理することができるため、各電力需要施設の電力消費について適切な内容を指示することができる。
【０２７４】
また、第１対応関係には、電力需要施設における電力消費の抑制能力と当該電力需要施設に電力を供給する電力供給側とが対応づけられていることにより、複数の電力供給側からそれぞれ電力管理情報が送信された場合であっても、上位管理装置１０２が、各電力供給側に対する電力消費の抑制能力を把握することができる。従って、電力会社側と電力需要施設との間に階層化された複数の管理装置が設けられている場合であって、各電力需要施設において契約している電力会社が異なる場合であっても、各電力需要施設における電力消費の制御を適切に行うことができる。
【０２７５】
また、上位管理装置１０２が各電力需要施設における電力消費に関する情報を保持する必要が無いため、各電力需要施設における設備または住環境等が変化した場合であっても柔軟かつ迅速に対応し、各電力需要施設における電力消費の制御を適切に行うことができる。
【０２７６】
また、本発明の実施の形態に係る電力消費管理システム２０１における上位管理装置１０２では、抑制可能量処理部１３が、管理情報取得部１１により電力管理情報が取得されたことに応答して下位管理装置別抑制可能量テーブルＴ２を取得する。また、指示部１２は、抑制可能量処理部１３により下位管理装置別抑制可能量テーブルＴ２が取得されたことに応答して指示情報Ｘ１の通知を行う。
【０２７７】
このような構成により、電力管理情報が取得された時点の電力需要施設における電力消費の最新の抑制能力を指示情報Ｘ１に反映することができるため、電力需要施設における設備または住環境などの変化により適切に対応することできる。
【０２７８】
また、本発明の実施の形態に係る電力消費管理システム２０１における上位管理装置１０２では、抑制可能量処理部１３が、管理情報取得部１１により電力管理情報が取得されたことに応答して第１対応関係を示す抑制可能量テーブルＴ１を下位管理装置１０３から取得し、取得した抑制可能量テーブルＴ１の示す第１対応関係に基づいて下位管理装置別抑制可能量テーブルＴ２を作成する。
【０２７９】
このように、抑制可能量処理部１３が下位管理装置別抑制可能量テーブルＴ２を作成する構成により、たとえば下位管理装置１０３が各電力供給側に対する抑制可能量を算出するなどの複雑な演算処理を行う必要がなく、下位管理装置別抑制可能量テーブルＴ２を容易に取得することができる。
【０２８０】
また、本発明の実施の形態に係る電力消費管理システム２０１における上位管理装置１０２では、抑制実績量処理部１４が、電力需要施設における電力消費の抑制実績と、電力需要施設に電力を供給する電力供給側との対応関係である第２対応関係について、下位管理装置１０３ごとの第２対応関係を示す下位管理装置別抑制実績量テーブルＴ５を取得する。
【０２８１】
このような構成により、上位管理装置１０２は、電力管理情報に応じた電力消費の内容が下位管理装置１０３において実現できたか否かを確認することができる。また、下位管理装置別抑制実績量テーブルＴ５を取得することにより、たとえば電力供給側から電力消費の抑制を行うことのインセンティブとして対価等が付与された場合、当該対価等を各下位管理装置１０３の抑制実績量に応じて各下位管理装置１０３に適切に分配することができる。
【０２８２】
また、本発明の実施の形態に係る電力消費管理システム２０１における上位管理装置１０２では、抑制実績量処理部１４が、各下位管理装置１０３の電力消費の基準値と、各下位管理装置１０３の電力消費の実績値とに基づいて下位管理装置別抑制実績量テーブルＴ５を作成する。
【０２８３】
このように、電力消費の基準となる情報と電力需要施設における実際の消費電力量とに基づいて下位管理装置別抑制実績量テーブルＴ５を作成することにより、より適切な抑制実績量を算出することができる。
【０２８４】
また、このように、上位管理装置１０２が下位管理装置別抑制実績量テーブルＴ５を作成する構成により、たとえば下位管理装置１０３が各電力供給側に対する抑制実績量を算出するなどの複雑な演算処理を行う必要がなく、下位管理装置別抑制実績量テーブルＴ５を容易に取得することができる。
【０２８５】
また、本発明の実施の形態に係る電力消費管理システム２０１における下位管理装置１０３は、上位管理装置１０２と通信可能であり、電力需要施設における電力消費を抑制可能である。また、下位管理装置１０３では、抑制可能量処理部２２が、電力需要施設における電力消費の抑制能力を取得する。また、抑制可能量処理部２２が、取得した抑制能力と電力需要施設に電力を供給する電力供給側との対応関係である第１対応関係を示す情報を送信する。
【０２８６】
このような構成により、各下位管理装置１０３の第１対応関係を取得した上位管理装置１０２が、各電力需要施設における電力消費の節電能力を集中して管理することができるため、各電力需要施設の電力消費について適切な内容を指示することができる。
【０２８７】
また、第１対応関係には、電力需要施設における電力消費の抑制能力と当該電力需要施設に電力を供給する電力供給側とが対応づけられていることにより、複数の電力供給側からそれぞれ電力管理情報が送信された場合であっても、上位管理装置１０２が、各電力供給側に対する電力消費の抑制能力を把握することができる。従って、電力会社側と電力需要施設との間に階層化された複数の管理装置が設けられている場合であって、各電力需要施設において契約している電力会社が異なる場合であっても、各電力需要施設における電力消費の制御を適切に行うことができる。
【０２８８】
また、上位管理装置１０２が各電力需要施設における電力消費に関する情報を保持する必要が無いため、各電力需要施設における設備または住環境等が変化した場合であっても柔軟かつ迅速に対応し、各電力需要施設における電力消費の制御を適切に行うことができる。
【０２８９】
また、本発明の実施の形態に係る電力消費管理システム２０１における下位管理装置１０３では、制御内容決定部２３が、電力需要施設の電力消費の内容を指示するための上位管理装置１０２からの指示情報Ｘ１を取得し、指示情報Ｘ１に基づいて電力需要施設における電力消費を抑制するための電気機器の制御内容を決定する。
【０２９０】
このような構成により、電力需要施設において、上位管理装置１０２からの指示情報Ｘ１に従った電力消費を容易に実現することができる。
【０２９１】
また、本発明の実施の形態に係る電力消費管理システム２０１における下位管理装置１０３では、抑制実績量処理部２５が、電力需要施設における電力消費の抑制実績を取得し、抑制実績と電力需要施設に電力を供給する電力供給側との対応関係である第２対応関係を示す情報を取得する。
【０２９２】
このような構成により、たとえば電力供給側から電力消費の抑制を行うことのインセンティブとして対価等が付与された場合、当該電力供給側に対応する抑制実績に基づいて、当該対価等を各電力需要施設における電力消費の抑制実績に応じて各電力需要施設に適切に分配することができる。
【０２９３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２９４】
以上の説明は、以下に付記する特徴を含む。
【０２９５】
［付記１］
電力需要施設における電力消費を抑制可能な複数の下位管理装置を介して前記電力消費を管理する上位管理装置であって、
複数の電力供給側から電力消費に関する電力管理情報を取得可能な管理情報取得部と、
前記電力需要施設における電力消費の抑制能力と前記電力需要施設に電力を供給する前記電力供給側との対応関係である第１対応関係について、前記下位管理装置ごとの前記第１対応関係を示す抑制可能量情報を取得する抑制可能量取得部と、
前記電力管理情報および前記抑制可能量情報に基づいて、対応の前記電力需要施設の電力消費の内容を指示するための指示情報を前記下位管理装置に通知する指示部とを備え、
前記電力管理情報は、電力需給の逼迫が予想される期間を示す情報、日別もしくは時間帯別の電気料金情報、または、電力の節電要請を示す情報であり、
前記下位管理装置は、前記電力需要施設に設けられたＢＥＭＳ（Ｂｕｉｌｄｉｎｇ  Ｅｎｅｒｇｙ  Ｍａｎａｇｅｍｅｎｔ  Ｓｙｓｔｅｍ）またはＨＥＭＳ（Ｈｏｍｅ  Ｅｎｅｒｇｙ  Ｍａｎａｇｅｍｅｎｔ  Ｓｙｓｔｅｍ）における需要家装置に、前記指示情報に基づく情報を通知する、上位管理装置。
【０２９６】
［付記２］
上位管理装置と通信可能であり、電力需要施設における電力消費を抑制可能な下位管理装置であって、
前記電力需要施設における電力消費の抑制能力を取得する抑制可能量取得部と、
前記抑制可能量取得部により取得された前記抑制能力と前記電力需要施設に電力を供給する電力供給側との対応関係である第１対応関係を示す情報を送信する送信部とを備え、
前記電力管理情報は、電力需給の逼迫が予想される期間を示す情報、日別もしくは時間帯別の電気料金情報、または、電力の節電要請を示す情報であり、
前記下位管理装置は、さらに、
前記電力需要施設に設けられたＢＥＭＳ（Ｂｕｉｌｄｉｎｇ  Ｅｎｅｒｇｙ  Ｍａｎａｇｅｍｅｎｔ  Ｓｙｓｔｅｍ）またはＨＥＭＳ（Ｈｏｍｅ  Ｅｎｅｒｇｙ  Ｍａｎａｇｅｍｅｎｔ  Ｓｙｓｔｅｍ）における需要家装置に、前記指示情報に基づく情報を通知する指示部を備える、下位管理装置。
【０２９７】
［付記３］
電力需要施設における電力消費を抑制可能な複数の下位管理装置と、
前記下位管理装置を介して前記電力消費を管理する上位管理装置とを備え、
前記上位管理装置は、複数の電力供給側から電力消費に関する電力管理情報を取得可能であり、
前記下位管理装置は、前記電力需要施設における電力消費の抑制能力と前記電力需要施設に電力を供給する前記電力供給側との対応関係である第１対応関係を示す情報を前記上位管理装置へ送信し、
前記上位管理装置は、前記下位管理装置から受信した情報の示す前記第１対応関係に基づいて、前記下位管理装置ごとの前記第１対応関係を示す抑制可能量情報を作成し、作成した前記抑制可能量情報、および前記電力管理情報に基づいて、対応の前記電力需要施設の電力消費の内容を指示するための指示情報を前記下位管理装置に通知し、
前記電力管理情報は、電力需給の逼迫が予想される期間を示す情報、日別もしくは時間帯別の電気料金情報、または、電力の節電要請を示す情報であり、
前記下位管理装置は、前記電力需要施設に設けられたＢＥＭＳ（Ｂｕｉｌｄｉｎｇ  Ｅｎｅｒｇｙ  Ｍａｎａｇｅｍｅｎｔ  Ｓｙｓｔｅｍ）またはＨＥＭＳ（Ｈｏｍｅ  Ｅｎｅｒｇｙ  Ｍａｎａｇｅｍｅｎｔ  Ｓｙｓｔｅｍ）における需要家装置に、前記指示情報に基づく情報を通知する、電力消費管理システム。
【符号の説明】
【０２９８】
１１  管理情報取得部
１２  指示部
１３  抑制可能量処理部（抑制可能量取得部）
１４  抑制実績量処理部（抑制実績量取得部）
１５  分配部
２１  記憶部
２２  抑制可能量処理部（抑制可能量取得部および送信部）
２３  制御内容決定部
２４  指示部
２５  抑制実績量処理部
２６  分配部
１０１，１０１Ａ，１０１Ｂ  電力会社サーバ
１０２  上位管理装置
１０３，１０３Ａ，１０３Ｂ  下位管理装置
１５１，１５１Ａ，１５１Ｂ，１５１Ｃ，１５１Ｄ  需要家装置
１６１  需要家装置群
２０１  電力消費管理システム
【図１】
2015116039.tif 000003
【図２】
2015116039.tif 000004
【図３】
2015116039.tif 000005
【図４】
2015116039.tif 000006
【図５】
2015116039.tif 000007
【図６】
2015116039.tif 000008
【図７】
2015116039.tif 000009
【図８】
2015116039.tif 000010
【図９】
2015116039.tif 000011
【図１０】
2015116039.tif 000012
【図１１】
2015116039.tif 000013
【図１２】
2015116039.tif 000014
【図１３】
2015116039.tif 000015
【図１４】
2015116039.tif 000016
【図１５】
2015116039.tif 000017
【図１６】
2015116039.tif 000018
【図１７】
2015116039.tif 000019